(57)【要約】【課題】移動通信システムにおいて、サービスを効果的に提供することができる装置及びその方法を提供する。【解決手段】本発明による方法は、端末によりＰＤＣＣＨ（physical downlink control channel）に対するモニタリングを制御する方法であって、基地局から、ＷＵＳ（wake up signal）設定情報を受信する段階と、ＷＵＳ設定情報に基づいて、基地局から送信されたＷＵＳに対するモニタリングする段階と、モニタリングに基づいて、ＷＵＳを検出する段階と、検出されたＷＵＳに関連する少なくとも１つの探索空間をモニタリングする段階と、を含む。【選択図】図１０
2022500913.tif 000002
【特許請求の範囲】
【請求項１】
端末（ＵＥ：user equipment）によりＰＤＣＣＨ（physical downlink control channel）に対するモニタリングを制御する方法であって、前記方法は、
基地局から、ＷＵＳ（wake up signal）設定情報を受信する段階と、
前記ＷＵＳ設定情報に基づいて、前記基地局から送信されたＷＵＳをモニタリングする段階と、
前記モニタリングに基づいて、前記ＷＵＳを検出する段階と、
前記検出されたＷＵＳに関連する少なくとも１つの探索空間をモニタリングする段階と、を含むことを特徴とする方法。
【請求項２】
前記検出されたＷＵＳに関連する前記少なくとも１つの探索空間は、探索空間タイプに基づいて決定され、前記探索空間タイプは、ＵＳＳ（ＵＥ specific search space）またはタイプ３共通探索空間のうちの少なくとも１つであることを特徴とする請求項１に記載の方法。
【請求項３】
前記タイプ３共通探索空間は、ＩＮＴ（interruption）−ＲＮＴＩ（radio network temporary identifier）、ＳＦＩ（slot format indication）−ＲＮＴＩ、ＴＰＣ（transmit power control）−ＰＵＳＣＨ（physical uplink shared channel）−ＲＮＴＩ、ＴＰＣ−ＰＵＣＣＨ（physical uplink control channel）−ＲＮＴＩ、ＴＰＣ−ＳＲＳ（sounding reference symbols）−ＲＮＴＩ、Ｃ（cell）−ＲＮＴＩ、ＣＳ（configured scheduling）−ＲＮＴＩ、及びＭＣＳ（modulation coding scheme）−Ｃ−ＲＮＴＩのうちの１つを利用してスクランブリングされたＣＲＣ（cyclic redundancy check）を含む下向きリンク制御情報がモニタリングされる共通探索空間であることを特徴とする請求項２に記載の方法。
【請求項４】
前記検出されたＷＵＳに関連する前記少なくとも１つの探索空間は、前記基地局によって設定された全ての探索空間を含むことを特徴とする請求項１に記載の方法。
【請求項５】
前記検出されたＷＵＳに関連する前記少なくとも１つの探索空間は、前記基地局から受信した探索空間インデックスに基づいて決定されることを特徴とする請求項１に記載の方法、
【請求項６】
前記探索空間インデックスは、前記基地局から受信した上位階層シグナリング、ＤＣＩ（downlink control information）、またはＭＡＣ（media access control） ＣＥ（control element）に含まれることを特徴とする請求項５に記載の方法。
【請求項７】
前記ＤＣＩまたは前記ＭＡＣ ＣＥは、ＷＵＳ活性化メッセージを含むことを特徴とする請求項６に記載の方法。
【請求項８】
前記探索空間インデックスは、前記検出されたＷＵＳに含まれることを特徴とする請求項５に記載の方法。
【請求項９】
前記検出されたＷＵＳに関連する前記少なくとも１つの探索空間をモニタリングする段階は、
前記検出されたＷＵＳと関連のない探索空間をモニタリングする段階を含むことを特徴とする請求項１に記載の方法。
【請求項１０】
前記検出されたＷＵＳに関連する前記少なくとも１つの探索空間をモニタリングする段階は、
前記検出されたＷＵＳと関連のない探索空間をモニタリングしないことを特徴とする請求項１に記載の方法。
【請求項１１】
ＰＤＣＣＨ（physical downlink control channel）に対するモニタリングを制御する端末（ＵＥ：user equipment）であって、前記端末は、
トランシーバと、
前記トランシーバに結合されて、基地局から、ＷＵＳ（wake up signal）設定情報を受信し、前記ＷＵＳ設定情報に基づいて、前記基地局から送信されたＷＵＳをモニタリングし、前記モニタリングに基づいて、前記ＷＵＳを検出し、前記検出されたＷＵＳに関連する少なくとも１つの探索空間をモニタリングするように設定された少なくとも１つのコントローラと、を含むことを特徴とする端末。
【請求項１２】
前記検出されたＷＵＳに関連する前記少なくとも１つの探索空間は、探索空間タイプに基づいて決定され、前記探索空間タイプは、ＵＳＳ（ＵＥ specific search space）またはタイプ３共通探索空間のうちの少なくとも１つであることを特徴とする請求項１１に記載の端末。
【請求項１３】
前記タイプ３共通探索空間は、ＩＮＴ（interruption）−ＲＮＴＩ（radio network temporary identifier）、ＳＦＩ（slot format indication）−ＲＮＴＩ、ＴＰＣ（transmit power control）−ＰＵＳＣＨ（physical uplink shared channel）−ＲＮＴＩ、ＴＰＣ−ＰＵＣＣＨ（physical uplink control channel）−ＲＮＴＩ、ＴＰＣ−ＳＲＳ（sounding reference symbols）−ＲＮＴＩ、Ｃ（cell）−ＲＮＴＩ、ＣＳ（configured scheduling）−ＲＮＴＩ、及びＭＣＳ（modulation coding scheme）−Ｃ−ＲＮＴＩのうちの１つを利用してスクランブリングされたＣＲＣ（cyclic redundancy check）を含む下向きリンク制御情報がモニタリングされる共通探索空間であることを特徴とする請求項１２に記載の端末。
【請求項１４】
前記検出されたＷＵＳに関連する前記少なくとも１つの探索空間は、前記基地局によって設定された全ての探索空間を含むことを特徴とする請求項１１に記載の端末。
【請求項１５】
前記検出されたＷＵＳに関連する前記少なくとも１つの探索空間は、前記基地局から受信した探索空間インデックスに基づいて決定されることを特徴とする請求項１１に記載の端末。
【発明の詳細な説明】
【技術分野】
【０００１】
本発明は、無線通信システムにおけるＰＤＣＣＨ（physical downlink control channel）に対するモニタリング方法及びその装置に関する。
【背景技術】
【０００２】
４Ｇ通信システム商用化以後、増加趨勢にある無線データトラフィック需要を充足させるために、改善された５Ｇ通信システムまたはｐｒｅ−５Ｇ通信システムを開発するための努力がなされている。このような理由により、５Ｇ通信システムまたはｐｒｅ−５Ｇ通信システムは、４Ｇネットワーク以後（beyond ４Ｇ network）の通信システム、またはＬＴＥ（登録商標）（long term evolution）以後（post ＬＴＥ）のシステムと呼ばれる。高いデータ伝送率を達成するために、５Ｇ通信システムは、超高周波（ｍｍＷａｖｅ）帯域（例えば、８０ＧＨｚ帯域）を使用した具現が考慮されている。超高周波帯域における電波の経路損失緩和、及び電波の伝達距離延長のために、５Ｇ通信システムにおいては、ビームフォーミング（beamforming）、巨大配列多重入出力（massive ＭＩＭＯ（multiple-input multiple-output））、全次元多重入出力（ＦＤ−ＭＩＭＯ：full dimensional ＭＩＭＯ）、アレイアンテナ（array antenna）、アナログビームフォーミング（analog beamforming）、及び大規模アンテナ（large scale antenna）の技術が論議されている。また、システムのネットワーク改善のために、５Ｇ通信システムにおいては、進化した小型セル、改善された小型セル（advanced small cell）、クラウド無線アクセスネットワーク（cloud ＲＡＮ：cloud radio access network）、超高密度ネットワーク（ultra-dense network）、機器間通信（Ｄ２Ｄ：device to device communication）、無線バックホール（wireless backhaul）、移動ネットワーク（moving network）、協力通信（cooperative communication）、ＣｏＭＰ（coordinated multi-points）、及び受信干渉除去（interference cancellation）のような技術開発がなされている。それ以外にも、５Ｇシステムにおいては、進歩したコーディング変調（ＡＣＭ：advanced coding modulation）方式であるＦＱＡＭ（hybrid ＦＳＫ and ＱＡＭ modulation）及びＳＷＳＣ（sliding window superposition coding）、並びに進歩した接続技術であるＦＢＭＣ（filter bank multi carrier）、ＮＯＭＡ（non-orthogonal multiple access)及びＳＣＭＡ（sparse code multiple access）などが開発されている。
【０００３】
一方、インターネットは、人間が情報を生成して消費する人間中心の連結網において、事物のような分散された構成要素間で情報をやり取りしながら処理する物のインターネット（ＩｏＴ：internet of things））網に進化している。クラウドサーバなどとの連結を介したビッグデータ（big data）処理技術などがＩｏＴ技術に結合されたＩｏＥ（internet of everything）技術も出てきている。ＩｏＴを具現するために、センシング技術、有線／無線通信及びネットワークインフラ、サービスインターフェース技術、並びにセキュリティ技術のような技術要素が要求され、最近では、事物間連結のためのセンサネットワーク（sensor network）、事物通信（Ｍ２Ｍ：machine to machine）、ＭＴＣ（machine type communication）のような技術が研究されている。ＩｏＴ環境においては、連結された事物によって生成されたデータを収集して分析し、人間生活に新たな価値を新たに創出する知能型ＩＴ（internet technology）サービスが提供されうる。ＩｏＴは、既存のＩＴ（information technology）技術と、多様な産業との融合及び複合を介して、スマートホーム、スマートビルディング、スマートシティ、スマートカーまたはコネクティッドカー、スマートグリッド、ヘルスケア、スマート家電、先端医療サービスなどの分野にも応用される。
【０００４】
そのために、５Ｇ通信システムをＩｏＴ網に適用するための多様な試みがなされている。例えば、センサネットワーク、事物通信（Ｍ２Ｍ）、ＭＴＣのような技術が５Ｇ通信技術であるビームフォーミング、ＭＩＭＯ、及びアレイアンテナなどの技法によって具現されている。上述のビッグデータ処理技術として、クラウド無線アクセスネットワークが適用されることも、５Ｇ技術とＩｏＴ技術との融合一例であると言える。
【０００５】
上述のように、無線通信システムの発展により、多様なサービスを提供することができるようになることにより、そのようなサービスを円滑に提供するための方策が要求されている。
【発明の概要】
【発明が解決しようとする課題】
【０００６】
本発明は、移動通信システムにおいて、サービスを効果的に提供することができる装置及びその方法を提供する。
【課題を解決するための手段】
【０００７】
本発明の一実施形態によれば、無線通信システムが提供される。
【発明の効果】
【０００８】
本発明によれば、移動通信システムにおいてサービスを効果的に提供する装置及び方法を提供する。
【図面の簡単な説明】
【０００９】
【図１】本発明の一実施形態による、第５世代（５Ｇ）において、時間・周波数領域の基本構造を示す図である。
【図２】本発明の一実施形態による、５Ｇにおいて、フレーム、サブフレーム、スロット構造を示す図である。
【図３】本発明の一実施形態による、５Ｇにおいて、帯域幅部分設定の一例を示す図である。
【図４】本発明の一実施形態による、５Ｇにおいて、下向きリンク制御チャネルの制御リソースセット設定の一例を示す図である。
【図５】本発明の一実施形態による、５Ｇにおいて、下向きリンク制御チャネルの構造を示す図である。
【図６】本発明の一実施形態による、ＷＵＳ伝送に係わる設定の一例を示す図である。
【図７】本発明の一実施形態による、ＷＵＳ伝送に係わる設定の一例を示す図である。
【図８Ａ】本発明の一実施形態による、基地局及と端末との手続きを示す図である。
【図８Ｂ】本発明の他の実施形態による、基地局及と端末との手続きを示す図である。
【図８Ｃ】本発明の一実施形態による、端末手続きを示す図である。
【図８Ｄ】本発明の他の実施形態による、端末手続きを示す図である。
【図９】本発明の一実施形態による、ＷＵＳ及びＰＤＣＣＨに対するモニタリングの一例を示す図である。
【図１０】本発明の一実施形態による、ＷＵＳモニタリング及びＰＤＣＣＨモニタリングに係わる端末動作を示す図である。
【図１１】本発明の一実施形態による、端末の内部構造を示すブロック図である。
【図１２】本発明の一実施形態による、基地局の内部構造を示すブロック図である。
【発明を実施するための形態】
【００１０】
本発明の実施形態は、移動通信システムにおいて、サービスを効果的に提供するための装置及びその方法を提供する。
【００１１】
さらなる態様は、以下の説明に部分的に記載され、部分的には、説明から明らかになるか、あるいは本明細書において提示された実施形態の実施によって学習されうる。
【００１２】
本発明の一実施形態による方法は、端末（ＵＥ：user equipment）によりＰＤＣＣＨ（physical downlink control channel）に対するモニタリングを制御する方法であって、前記方法は、基地局から、ＷＵＳ（wake up signal）設定情報を受信する段階と、前記ＷＵＳ設定情報に基づいて、前記基地局から送信されたＷＵＳをモニタリングする段階と、前記モニタリングに基づいて、前記ＷＵＳを検出する段階と、前記検出されたＷＵＳに関連する少なくとも１つの探索空間をモニタリングする段階と、を含むことを特徴とする。
【００１３】
前記検出されたＷＵＳに関連する前記少なくとも１つの探索空間は、探索空間タイプに基づいて決定され、前記探索空間タイプは、ＵＳＳ（ＵＥ specific search space）またはタイプ３共通探索空間（ＣＳＳ：common search space）のうちの少なくとも１つであることが好ましい。
【００１４】
前記タイプ３共通探索空間は、ＩＮＴ（interruption）−ＲＮＴＩ（radio network temporary identifier）、ＳＦＩ（slot format indication）−ＲＮＴＩ、ＴＰＣ（transmit power control）−ＰＵＳＣＨ（physical uplink shared channel）−ＲＮＴＩ、ＴＰＣ−ＰＵＣＣＨ（physical uplink control channel）−ＲＮＴＩ、ＴＰＣ−ＳＲＳ（sounding reference symbols）−ＲＮＴＩ、Ｃ（cell）−ＲＮＴＩ、ＣＳ（configured scheduling）−ＲＮＴＩ、及びＭＣＳ（modulation coding scheme）−Ｃ−ＲＮＴＩのうちの１つを利用してスクランブリングされたＣＲＣ（cyclic redundancy check）を含む下向きリンク制御情報がモニタリングされる共通探索空間を含んでもよい。
【００１５】
前記検出されたＷＵＳに関連する前記少なくとも１つの探索空間は、前記基地局によって設定された全ての探索空間を含んでもよい。
【００１６】
前記検出されたＷＵＳに関連する前記少なくとも１つの探索空間は、前記基地局から受信した探索空間インデックスに基づいて決定されうる。
【００１７】
前記探索空間インデックスは、前記基地局から受信した上位階層シグナリング、ＤＣＩ（downlink control information）、またはＭＡＣ（media access control） ＣＥ（control element）に含まれうる。
【００１８】
前記ＤＣＩまたは前記ＭＡＣ ＣＥは、ＷＵＳ活性化メッセージを含んでもよい。
【００１９】
前記探索空間インデックスは、前記検出されたＷＵＳに含まれうる。
【００２０】
前記検出されたＷＵＳに関連する前記少なくとも１つの探索空間をモニタリングする段階は、前記検出されたＷＵＳと関連のない探索空間をモニタリングする段階を含みうる。
【００２１】
前記検出されたＷＵＳに関連する前記少なくとも１つの探索空間をモニタリングする段階は、前記検出されたＷＵＳと関連のない探索空間をモニタリングしない方法を含む。
【００２２】
本発明の一実施形態による端末は、ＰＤＣＣＨ（physical downlink control channel）に対するモニタリングを制御する端末（ＵＥ：user equipment）であって、前記端末は、トランシーバ（送受信部）と、前記トランシーバに結合されて、基地局から、ＷＵＳ（wake up signal）設定情報を受信し、前記ＷＵＳ設定情報に基づいて、前記基地局から送信されたＷＵＳをモニタリングし、前記モニタリングに基づいて、前記ＷＵＳを検出し、前記検出されたＷＵＳに関連する少なくとも１つの探索空間をモニタリングするように設定された少なくとも１つのコントローラと、を含むことを特徴とする。
【００２３】
前記検出されたＷＵＳに関連する前記少なくとも１つの探索空間は、探索空間タイプに基づいて決定され、前記探索空間タイプは、ＵＳＳ（ＵＥ specific search space）及びタイプ３共通探索空間のうちの少なくとも１つである。
【００２４】
前記タイプ３共通探索空間は、ＩＮＴ−ＲＮＴＩ、ＳＦＩ−ＲＮＴＩ、ＴＰＣ−ＰＵＳＣＨ−ＲＮＴＩ、ＴＰＣ−ＰＵＣＣＨ−ＲＮＴＩ、ＴＰＣ−ＳＲＳ−ＲＮＴＩ、Ｃ−ＲＮＴＩ、ＣＳ−ＲＮＴＩ、及びＭＣＳ−Ｃ−ＲＮＴＩのうちの１つを利用してスクランブリングされたＣＲＣを含む下向きリンク制御情報がモニタリングされる共通探索空間を含んでもよい。
【００２５】
前記検出されたＷＵＳに関連する前記少なくとも１つの探索空間は、前記基地局によって設定された全ての探索空間を含んでもよい。
【００２６】
前記検出されたＷＵＳに関連する前記少なくとも１つの探索空間は、前記基地局から受信した探索空間インデックスに基づいて決定される。
【００２７】
前記探索空間インデックスは、前記基地局から受信した上位階層シグナリング、ＤＣＩ、またはＭＡＣＣＥに含まれる。
【００２８】
前記ＤＣＩまたは前記ＭＡＣ ＣＥは、ＷＵＳ活性化メッセージを含んでもよい。
【００２９】
前記探索空間インデックスは、前記検出されたＷＵＳに含まれうる。
【００３０】
前記コントローラは、前記検出されたＷＵＳと関連のない探索空間をモニタリングすることができる。
【００３１】
前記コントローラは、前記検出されたＷＵＳと関連のない探索空間をモニタリングしない。
【００３２】
以下の詳細な説明の前に、本明細書全体で使用される特定の単語及び構文の定義を提示する。用語「含む（include）」、「含む（comprise）」、及びそれらの派生語は、制限なしに「包含」を意味する。用語「または（or）」は、「及び／または」を包括的に含み、「と関連する（associated with）」という文言、「と関連する（associated therewith）という文言」、及びその派生語は、「含む（include）」、「内部に含まれる（be included within）」、「相互連結する（interconnect with）」、「含む（contain）」、「内部に含まれる（be contained within）」、「に／と連結する（connect to or with）、「に／と結合する（couple to or with）」、「と通信可能である（be communicable with）」、「と協力する（cooperate with）」、「インターリーブする（interleave）」、「併置する（juxtapose）」、「と隣接する（be proximate to）」、〜に／と結合される（be bound to or with）、「有する（have）」、「を所有する（have a property of）」、あるいはそれらと類似した用語を含み、用語「コントローラ」は、少なくとも１つの動作を制御する任意の装置、システム、またはその一部を意味し、そのような装置は、ハードウェア、ファームウェア、ソフトウェア、またはそれらのうちの少なくとも２個の組み合わせによって具現される。特定コントローラに関する機能は、ローカルまたは遠隔にかかわらず、中央集中化されるか、あるいは分散されうる。
【００３３】
さらに、以下で説明される多様な機能は、１つ以上のコンピュータプログラムによって具現されたり支援され、それらは、それぞれコンピュータで読み取り可能なプログラムコードによって形成され、コンピュータ読み取り可能媒体に具現される。用語「アプリケーション」及び「プログラム」は、１つ以上のコンピュータプログラム、ソフトウェア構成要素、命令語セット、手続き、機能、客体、クラス、インスタンス、関連データまたは適切なコンピュータで読み取り可能なプログラムで具現されるように採択されたその一部を意味する。「コンピュータで読み取り可能なプログラムコード」という文言には、ソースコード、個体コード、及び実行コードを含む全ての類型のコンピュータコードが含まれる。「コンピュータ読み取り可能媒体」という文言は、読み取り専用メモリ（ＲＯＭ）、ランダムアクセスメモリ（ＲＡＭ）、ハードディスクドライブ、コンパクトディスク（ＣＤ）、デジタルビデオディスク、その他類型のメモリのように、コンピュータでアクセスされる全ての類型の媒体を含む。「非一時的（non-transitory）」コンピュータ読み取り可能媒体は、一時的な電気またはその他信号を伝送する有線、無線、光学またはその他の通信リンクを除く。非一時的コンピュータ可読媒体は、データが永久に保存されうる媒体、及び再記録可能な光ディスク、または消去可能なメモリ装置のように、データが保存され、後で上書きされうる媒体を含む。
【００３４】
特定の単語及び構文に関する定義は、本明細書全体に提供され、ほとんどの場合ではないが、当業者は、そのような定義がなされた単語及び文言の以前の使用及び今後の使用に適用されうることを理解しなければならない。
【００３５】
以下で説明する図１ないし図１２、及び本明細書において、本発明の原理を説明するために使用される多様な実施形態は、単に例示のためのものであり、本発明の技術範囲を限定するように解釈されてはならない。当業者は、本発明の原理が、任意の適切に配列されたシステムまたは装置で具現されうることを理解するであろう。
【００３６】
以下、本発明の実施形態について、図面を参照しながら詳細に説明する。
【００３７】
本実施形態の説明において、本発明が属する技術分野に周知されており、本発明と直接関連がない記載内容については、説明を省略する。それは、不要な説明を省略することにより、本発明の要旨を不明確にせず、より明確に伝達するためである。
【００３８】
同じ理由により、図面において、一部の構成要素は、誇張されていたり省略されていたりするか、あるいは概略的に図示されている。また、各構成要素の大きさは、実際のサイズを全面的に反映するものではない。各図面において、同一であるか、あるいは対応する構成要素には、同一の参照番号を付した。
【００３９】
本発明の利点、特徴、及びそれらを達成する方法は、図面と共に詳細に後述する実施形態を参照すれば、明確になるであろう。しかし、本発明は、以下で説明する実施形態に限定されるものではなく、互いに異なる多様な形態で具現され、本実施形態は、本発明の開示を完全なものにし、本発明が属する技術分野における当業者に、発明の範疇を完全に知らせるために提供されるものであり、本発明は、特許請求の範囲によって定義されるのみである。明細書全体にわたり、同一の参照符号は、同一の構成要素を指す。また、本発明の説明において、関連する機能または構成に係わる具体的な説明が、本発明の要旨を必要以上に不明確にしうると判断された場合、その詳細な説明は、省略する。また、後述の用語は、本発明における機能を考慮して定義された用語であり、それらは、ユーザ、運用者の意図または慣例などによって異なる。従って、それらの定義は、本明細書全般にわたる内容を基になされなければならない。
【００４０】
以下、基地局は、端末の資源割り当てを行う主体であり、ｇNodeＢ、ｅNodeＢ、NodeＢ、ＢＳ（base station）、無線接続ユニット、基地局制御器、またはネットワーク上のノードのうちの少なくとも１つである。端末は、ＵＥ、ＭＳ（mobile station）、セルラフォン、スマートフォン、コンピュータ、または通信機能を遂行可能なマルチメディアシステムを含んでもよい。本発明において、下向きリンク（ＤＬ：downlink）は、基地局が端末に伝送する信号の無線伝送経路であり、上向きリンク（ＵＬ：uplink）は、端末が基地局に伝送する信号の無線伝送経路を意味する。また、以下では、ＬＴＥ（登録商標）またはＬＴＥ−Ａ（ＬＴＥ−Advanced）システムを一例として説明するが、類似した技術的背景またはチャネル形態を有するそれ以外の通信システムにも、本発明の実施形態が適用されうる。例えば、ＬＴＥ−Ａ以後に開発される第５世代移動通信技術（５Ｇ ＮＲ（new radio）がそこに含まれ、以下で説明する５Ｇは、既存のＬＴＥ（登録商標）、ＬＴＥ−Ａ、及び類似した他のサービスを含む概念である。また、本発明は、当業者の判断に基づいて、本発明の技術範囲を大きく逸脱しない範囲内において、一部変形を介して、他の通信システムにも適用される。
【００４１】
このとき、処理フローチャートの各ブロックと、フローチャートブロックの組み合わせは、コンピュータプログラムインストラクションによって遂行されることが理解される。これらコンピュータプログラムインストラクションは、汎用コンピュータ、専用コンピュータ、またはその他プログラム可能なデータプロセッシング装置のプロセッサにも搭載されるので、コンピュータ、またはその他プログラム可能なデータプロセッシング装置のプロセッサを介して遂行されるインストラクションが、フローチャートブロックで説明された機能を遂行する手段を生成することになる。これらコンピュータプログラムインストラクションは、特定方式で機能を具現するために、コンピュータ、またはその他プログラム可能なデータプロセッシング装置を指向するコンピュータで利用可能な、またはコンピュータ読み取り可能なメモリに保存されるので、そのコンピュータで利用可能な、またはコンピュータ読み取り可能なメモリに保存されたインストラクションは、フローチャートブロックで説明された機能を遂行するインストラクション手段を内包する製造品目を生産することも可能である。コンピュータプログラムインストラクションは、コンピュータ上、またはその他プログラム可能なデータプロセッシング装置上に搭載されるので、コンピュータ上、またはその他プログラム可能なデータプロセッシング装置上において、一連の動作段階が遂行され、コンピュータで実行されるプロセスを生成し、コンピュータ、またはその他プログラム可能なデータプロセッシング装置を遂行するインストラクションは、フローチャートブロックで説明された機能を実行するための段階を提供することが可能である。
【００４２】
また、各ブロックは、特定された論理的機能を実行するための１つ以上の実行可能なインストラクションを含むモジュール、セグメントまたはコードの一部を示す。また、いくつかの代替の実行例においては、ブロックで言及された機能が、順序を外れて発生することも可能であるということに注目しなければならない。例えば、続けて図示されている２つのブロックは、実際には、実質的に同時に遂行され、あるいはそのブロックが、ときには、該当する機能により、逆順に遂行される。
【００４３】
本実施形態で使用される「〜部」という用語は、ソフトウェア、あるいはＦＰＧＡ（field programmable gate array）、またはＡＳＩＣ（application specific integrated circuit）のようなハードウェア構成要素を意味し、「〜部」は、ある役割を果たす。しかしながら、「〜部」は、ソフトウェアまたはハードウェアに限定されるものではない。「〜部」は、アドレッシング可能な記録媒体に存在するように構成され、１つまたはその以上のプロセッサを再生させるように構成される。従って、一例として、「〜部」は、ソフトウェア構成要素、オブジェクト指向ソフトウェア構成要素、クラス構成要素及びタスク構成要素のような構成要素、並びにプロセス、関数、属性、プロシージャ、サブルーチン、プログラムコードのセグメント、ドライバ、ファームウェア、マイクロコード、回路、データ、データベース、データ構造、テーブル、アレイ及び変数を含む。構成要素及び「〜部」で提供される機能は、より小数の構成要素及び「〜部」に結合されるか、あるいはさらなる構成要素及び「〜部」にさらに分離されうる。それだけでなく、構成要素及び「〜部」は、デバイス内またはセキュリティーマルチメディアカード内の１つまたはそれ以上のＣＰＵ（central processing unit）を再生させるように具現される。また、本実施形態において「〜部」は、１つ以上のプロセッサを含んでもよい。
【００４４】
無線通信システムは、初期の音声主体のサービスを提供したところから脱し、例えば、３ＧＰＰのＨＳＰＡ（high speed packet access）、ＬＴＥ（登録商標）またはＥ−ＵＴＲＡ（evolved universal terrestrial radio access）、ＬＴＥ−Ａ、ＬＴＥ−Ｐｒｏ、３ＧＰＰ２のＨＲＰＤ（high rate packet data）、ＵＭＢ（ultra mobile broadband）、及びＩＥＥＥの８０２．１６ｅのような通信標準のように、高速、高品質のパケットデータサービスを提供する広帯域無線通信システムに発展している。
【００４５】
広帯域無線通信システムの代表的な例として、ＬＴＥ（登録商標）システムにおいては、下向きリンク（ＤＬ）には、ＯＦＤＭ（orthogonal frequency division multiplexing）方式を採用しており、上向きリンク（ＵＬ）には、ＳＣ−ＦＤＭＡ（single carrier frequency division multiple access）方式を採用している。上向きリンクは、端末（ＵＥまたはＭＳ）が基地局（ｅNodeＢまたはＢＳ）に、データまたは制御信号を伝送する無線リンクを意味し、下向きリンクは、基地局が端末に、データまたは制御信号を伝送する無線リンクを意味する。上述のような多重接続方式は、通常、各ユーザ別に、データまたは制御情報を載せて送る時間・周波数資源が互いに重ならないように、すなわち、直交性（orthogonality）が維持されるように、割り当てて運用することにより、各ユーザのデータまたは制御情報を区分する。
【００４６】
ＬＴＥ（登録商標）以後の今後の通信システムとして、すなわち、５Ｇ通信システムは、ユーザ及びサービス提供者などの多様な要求事項を自由に反映させなければならないため、多様な要求事項を同時に満足させるサービスが支援されなければならない。５Ｇ通信システムのために考慮されるサービスとしては、向上されたモバイル広帯域通信（ｅＭＢＢ：enhanced mobile broadband）、大規模機械型通信（ｍＭＴＣ：massive machine type communication）、超信頼低遅延通信（ＵＲＬＬＣ：ultra reliability low latency communication）などがある。
【００４７】
ｅＭＢＢは、既存のＬＴＥ（登録商標）、ＬＴＥ−Ａ、またはＬＴＥ−Ｐｒｏが支援するデータ伝送速度よりもさらに向上されたデータ伝送速度を提供することを目標にする。例えば、５Ｇ通信システムにおいて、ｅＭＢＢは、１つの基地局観点において、下向きリンクでは、２０Ｇｂｐｓの最大伝送速度（peak data rate）を提供し、上向きリンクでは、１０Ｇｂｐｓの最大伝送速度を提供しなければならない。また、５Ｇ通信システムは、最大伝送速度を提供すると共に、増大された端末の実際体感伝送速度（user perceived data rate）を提供しなければならない。そのような要求事項を満足させるために、さらに向上された多重アンテナ（ＭＩＭＯ：multiple-input multiple-output）伝送技術を含み、多様な送受信技術の向上を要求する。また、ＬＴＥ（登録商標）が使用する２ＧＨｚ帯域において、最大２０ＭＨｚ伝送帯域幅を使用して信号を伝送する一方、５Ｇ通信システムは、３〜６ＧＨｚ、または６ＧＨｚ以上の周波数帯域において、２０ＭＨｚよりも広い周波数帯域幅を使用することにより、５Ｇ通信システムで要求されるデータ伝送速度を満足させる。
【００４８】
同時に、５Ｇ通信システムにおいて、物のインターネット（ＩｏＴ：internet of things）のような応用サービスを支援するために、ｍＭＴＣが考慮されている。ｍＭＴＣは、効率的に物のインターネットを提供するために、セル内において、膨大な数の端末からの接続支援、端末のカバレージ向上、向上されたバッテリ時間、端末のコスト低減などが要求される。物のインターネットは、さまざまなセンサ及び多様な機器に付着されて通信機能を提供するので、セル内において、多数の端末（例えば、１，０００，０００端末／ｋｍ２）を支援しなければならない。また、ｍＭＴＣを支援する端末は、サービスの特性上、建物の地下のように、セルがカバーすることができない陰影地域（shadow area）に位置する可能性が高いので、５Ｇ通信システムで提供する他のサービスに比べて、より広いカバレージを要求する。ｍＭＴＣを支援する端末は、低価格の端末で構成されなければならず、端末のバッテリを頻繁に交換し難いために、１０〜１５年のように非常に長いバッテリ寿命（battery life time）が要求される。
【００４９】
最後に、ＵＲＬＬＣは、特定の目的（mission-critical）に使用されるセルラ基盤無線通信サービスである。例えば、ロボット（robot）または機械装置（machinery）に対する遠隔制御（remote control）、産業自動化（industrial automation）、無人飛行装置（unmanned aerial vehicle）、遠隔健康制御（remote health care）、緊急警報（emergency alert）などに使用されるサービスなどが考えられる。従って、ＵＲＬＬＣが提供する通信は、非常に低い遅延、及び非常に高い信頼性を提供しなければならない。例えば、ＵＲＬＬＣを支援するサービスは、０．５ミリ秒よりも短い無線接続遅延時間（air interface latency）を満足させなければならないし、同時に、１０−５以下のパケットエラー率（packet error rate）の要求事項を有する。従って、ＵＲＬＬＣを支援するサービスのために、５Ｇシステムは、他のサービスよりも小さい伝送時間区間（ＴＴＩ：transmit time interval）を提供しなければならず、同時に、通信リンクの信頼性を確保するために、周波数帯域において、広いリソースを割り当てなければならない設計事項が要求されうる。
【００５０】
５Ｇの三種のサービス、すなわち、ｅＭＢＢ、ＵＲＬＬＣ、及びｍＭＴＣは、１つのシステムにおいて多重化されて伝送される。このとき、それぞれのサービスが有する異なる要求事項を満足させるために、サービス間において、互いに異なる送受信技法及び送受信パラメータを使用する。但し、５Ｇは、上述の三種のサービスに限定されない。
【００５１】
以下では、５Ｇシステムのフレーム構造について、図面を参照しながら、さらに具体的に説明する。
【００５２】
図１は、本発明の一実施形態による、５Ｇシステムにおいて、データまたは制御チャネルが伝送される無線資源領域である、時間・周波数領域の基本構造を示す図である。
【００５３】
図１において、横軸は、時間領域を示し、縦軸は、周波数領域を示す。時間領域及び周波数領域において、資源の基本単位は、資源要素（ＲＥ：resource element）１０１であり、時間軸における１つのＯＦＤＭシンボル１０２として定義され、周波数軸における１つの副搬送波（subcarrier）１０３として定義される。周波数領域において、
2022500913.tif 000003
の連続したＲＥは、１つの資源ブロック（ＲＢ：resource block）１０４を構成する。
【００５４】
図２は、本発明の一実施形態による、５Ｇシステムにおいて考慮されるスロット構造を示す図である。
【００５５】
図２には、フレーム（frame）２００、サブフレーム（subframe）２０１、スロット（slot）２０２の構造の一例が図示されている。１フレーム２００は、１０ｍｓと定義される。１サブフレーム２０１は、１ｍｓと定義され、従って、１フレーム２００は、合計１０個のサブフレーム２０１によって構成される。１スロット２０２及び２０３は、１４個のＯＦＤＭシンボルを有するように定義される
2022500913.tif 000004
１サブフレーム２０１は、１つまたは複数個のスロット（２０２、２０３）によって構成され、１サブフレーム２０１当たりスロット２０２及び２０３の個数は、副搬送波間隔の設定値μ（２０４、２０５）によって異なる。図２の例においては、副搬送波間隔の設定値として、μ＝０（２０４）である場合と、μ＝１（２０５）である場合とが図示されている。μ＝０（２０４）である場合、１サブフレーム２０１は、１個のスロット２０２によって構成され、μ＝１（２０５）である場合、１サブフレーム２０１は、２個のスロット２０３によって構成される。すなわち、副搬送波間隔の設定値μにより、
2022500913.tif 000005
【００５６】
【表１】
2022500913.tif 000006
【００５７】
次に、５Ｇ通信システムにおいて、帯域幅部分（ＢＷＰ：bandwidth part）の設定方法について、図面を参照して具体的に説明する。
【００５８】
図３は、本発明の一実施形態による、５Ｇ通信システムにおいて、帯域幅部分の設定の一例を示す図である。
【００５９】
図３には、端末帯域幅（ＵＥ bandwidth）３００が、２つの帯域幅部分、すなわち、帯域幅部分＃１（ＢＷＰ＃１）３０１と帯域幅部分＃２（ＢＷＰ＃２）３０２とに設定された例を示している。基地局は端末に、１つまたは複数個の帯域幅部分を設定し、各帯域幅部分について、下記の情報を設定する（表２）。
【００６０】
【表２】
2022500913.tif 000007
【００６１】
ここで、端末を設定する方法は、この例に限定されるものではなく、上記の設定情報以外にも、帯域幅部分に係わる多様なパラメータが端末に設定されうる。上記情報は、上位階層シグナリング、例えば、ＲＲＣ（radio resource control）シグナリングを介して、基地局が端末に伝達する。設定された１つまたは複数個の帯域幅部分のうちの少なくとも１つの帯域幅部分が、活性化（activation）されうる。設定された帯域幅部分を活性化するか否かは、基地局から端末に、ＲＲＣシグナリングを介して準静的に伝達されるか、あるいはＤＣＩを介して動的に伝達される。
【００６２】
一実施形態によれば、ＲＲＣ連結前の端末は、初期接続のための初期帯域幅部分（initial bandwidth part）を、ＭＩＢ（master information block）を介して、基地局から設定される。さらに具体的に説明すると、端末は、初期接続段階において、ＭＩＢを介し、初期接続に必要なシステム情報（ＲＭＳＩ（remaining system information）またはＳＩＢ１（system information block １）に該当する）を受信するためのＰＤＣＣＨが伝送される制御リソースセット（ＣＯＲＥＳＥＴ（control resource set））及び探索空間（search space）に係わる設定情報を受信する。ＭＩＢに設定される制御リソースセット及び探索空間は、それぞれ識別子（ＩＤ：identity）０と見なされる。基地局は端末に、ＭＩＢを介し、制御リソースセット＃０に係わる周波数割り当て情報、時間割り当て情報、ニューメロロジー（numerology）のような設定情報を通知する。また、基地局は端末に、ＭＩＢを介し、制御リソースセット＃０に対するモニタリング周期及びオケージョン（occasion）に係わる設定情報、すなわち、探索空間＃０に係わる設定情報を通知する。端末は、ＭＩＢから獲得した制御リソースセット＃０に設定された周波数領域を、初期接続のための初期帯域幅部分と見なす（または、識別する）。このとき、初期帯域幅部分の識別子（ＩＤ）は、０と見なされる。
【００６３】
上述の５Ｇで支援される帯域幅部分の設定は、多様な目的に使用される。
【００６４】
一実施形態よれば、システム帯域幅よりも、端末が支援する帯域幅が狭い場合、上記帯域幅部分の設定を介してそれを支援する。例えば、基地局は、帯域幅部分の周波数位置（設定情報２）を端末に設定することにより、システム帯域幅内の特定周波数位置において、端末がデータを送受信する。
【００６５】
また、一実施形態によれば、互いに異なるニューメロロジーを支援する目的で、基地局が端末に、複数個の帯域幅部分を設定する。例えば、ある端末に対し、１５ｋＨｚの副搬送波間隔と３０ｋＨｚの副搬送波間隔とを利用したデータ送受信をいずれも支援するために、２つの帯域幅部分を、それぞれ１５ｋＨｚと３０ｋＨｚとの副搬送波間隔に設定する。互いに異なる帯域幅部分は、周波数分割多重化（frequency division multiplexing）され、特定の副搬送波間隔でデータを送受信する場合、当該副搬送波間隔に設定されている帯域幅部分が活性化される。
【００６６】
また、一実施形態によれば、端末の電力消費低減の目的で、基地局が端末に、互いに異なる大きさの帯域幅を有する帯域幅部分を設定する。例えば、端末が非常に大きい帯域幅、例えば、１００ＭＨｚの帯域幅を支援し、当該帯域幅において、常時、データを送受信する場合、非常に大きい電力消費が発生してしまう。特に、トラフィック（traffic）がない状況において、１００ＭＨｚの大きい帯域幅で、不要な下向きリンク制御チャネルに対するモニタリングを行うことは、電力消費の観点において、非常に非効率的である。端末の電力消費を減らす目的で、基地局は端末に、相対的に狭い帯域幅の帯域幅部分、例えば、２０ＭＨｚの帯域幅部分を設定する。トラフィックがない状況において、端末は、２０ＭＨｚ帯域幅部分で、モニタリング動作を遂行し、データが発生した場合、基地局の指示により、１００ＭＨｚの帯域幅部分で、データを送受信する。
【００６７】
帯域幅部分を設定する方法において、ＲＲＣ連結前の端末は、初期接続段階において、ＭＩＢを介し、初期帯域幅部分の設定情報を受信する。さらに具体的に説明すると、端末は、ＰＢＣＨ（physical broadcast channel）のＭＩＢからＳＩＢ（system information block）をスケジューリングするＤＣＩが伝送される下向きリンク制御チャネルのための制御リソースセット（ＣＯＲＥＳＥＴ）を設定される。ＭＩＢに設定された制御リソースセットの帯域幅が、初期帯域幅部分と見なされ、設定された初期帯域幅部分を介して、端末は、ＳＩＢが伝送されるＰＤＳＣＨを受信する。初期帯域幅部分は、ＳＩＢを受信する用途以外にも、他のシステム情報（ＯＳＩ：other system information）用、ページング（paging）用、ランダムアクセス（random access）用に活用される。
【００６８】
次に、５ＧにおけるＳＳ（synchronization signal）／ＰＢＣＨブロックについて説明する。
【００６９】
ＳＳ／ＰＢＣＨブロックとは、ＰＳＳ（primary ＳＳ）、ＳＳＳ（secondary ＳＳ）、及びＰＢＣＨで構成された物理階層チャネルブロックを意味する。具体的には、下記の通りである。
【００７０】
−ＰＳＳ：下向きリンク時間／周波数同期の基準になる信号であり、セルＩＤの一部情報を提供する。
−ＳＳＳ：下向きリンク時間／周波数同期の基準になり、ＰＳＳが提供していない残りのセルＩＤ情報を提供する。さらには、ＰＢＣＨの復調のための基準信号（reference signal）の役割を果たす。
−ＰＢＣＨ：端末のデータチャネル及び制御チャネルの送受信に必要な必須システム情報を提供する。必須システム情報は、制御チャネルの無線資源マッピング情報を示す探索空間関連制御情報、システム情報を伝送する別途のデータチャネルに係わるスケジューリング制御情報などを含む。
−ＳＳ／ＰＢＣＨブロック：ＳＳ／ＰＢＣＨブロックは、ＰＳＳ、ＳＳＳ、及びＰＢＣＨを組み合わせたものである。ＳＳ／ＰＢＣＨブロックは、５ｍｓの時間内に、１つまたは複数個が伝送され、伝送されるそれぞれのＳＳ／ＰＢＣＨブロックは、インデックスによって区別される。
【００７１】
端末は、初期接続段階において、ＰＳＳ及びＳＳＳを検出し、ＰＢＣＨをデコーディングする。ＰＢＣＨからＭＩＢを獲得し、それにより、制御リソースセット＃０が設定される。端末は、選択したＳＳ／ＰＢＣＨブロックと制御リソースセット＃０とで伝送されるＤＭＲＳ(demodulation reference signal)が、ＱＣＬ（quasi colocation）されていると仮定し、制御リソースセット＃０に対するモニタリングを行う。端末は、制御リソースセット＃０で伝送された下向きリンク制御情報において、システム情報を受信する。端末は、受信したシステム情報から、初期接続に必要なＲＡＣＨ（random access channel）関連の設定情報を獲得する。端末は、選択したＳＳ／ＰＢＣＨインデックスを考慮し、ＰＲＡＣＨ（physical ＲＡＣＨ）を基地局に伝送し、ＰＲＡＣＨを受信した基地局は、端末が選択したＳＳ／ＰＢＣＨブロックインデックスに係わる情報を獲得する。基地局は、端末がそれぞれのＳＳ／ＰＢＣＨブロックのうちのどのブロックを選択したかということ、及びそれに関連している制御リソースセット＃０をモニタリングしていることを知ることができる。
【００７２】
次に、５Ｇシステムにおける下向きリンク制御情報（ＤＣＩ）について具体的に説明する。
【００７３】
５Ｇシステムにおいて、上向きリンクデータ（または、物理上向きリンクデータチャネル（ＰＵＳＣＨ））または下向きリンクデータ（または、物理下向きリンクデータチャネル（ＰＤＳＣＨ））のスケジューリング情報は、ＤＣＩを介し、基地局から端末に伝達される。端末は、ＰＵＳＣＨまたはＰＤＳＣＨについて、対応策（fallback）用ＤＣＩフォーマットと非対応策（non-fallback）用ＤＣＩフォーマットとをモニタリングする。対応策用ＤＣＩフォーマットは、基地局と端末との間で事前定義された固定されたフィールドによって構成され、非対応策用ＤＣＩフォーマットは、設定可能なフィールドを含む。
【００７４】
ＤＣＩは、チャネルコーディング過程及び変調過程を経て、物理下向きリンク制御チャネルであるＰＤＣＣＨを介して伝送される。ＤＣＩメッセージのペイロード（payload）には、ＣＲＣが付加され、ＣＲＣは、端末の身元に該当するＲＮＴＩによってスクランブリングされる。ＤＣＩメッセージの目的、例えば、端末特定（ＵＥ−specific）のデータ伝送、電力制御命令またはランダムアクセス応答などにより、互いに異なるＲＮＴＩが使用される。すなわち、ＲＮＴＩは、明示的に伝送されず、ＣＲＣ計算過程に含まれて伝送される。ＰＤＣＣＨ上で伝送されるＤＣＩメッセージを受信すると、端末は、割り当てられたＲＮＴＩを使用してＣＲＣを確認し、ＣＲＣ確認結果が合えば、端末は、当該メッセージが端末に伝送されたことを知ることができる。
【００７５】
例えば、システム情報（ＳＩ：system information）に係わるＰＤＳＣＨをスケジューリングするＤＣＩは、ＳＩ−ＲＮＴＩによってスクランブリングされる。ＲＡＲ（random access response）メッセージに係わるＰＤＳＣＨをスケジューリングするＤＣＩは、ＲＡ−ＲＮＴＩによってスクランブリングされる。ページングメッセージに係わるＰＤＳＣＨをスケジューリングするＤＣＩは、Ｐ−ＲＮＴＩによってスクランブリングされる。ＳＦＩ（slot format indicator）を通知するＤＣＩは、ＳＦＩ−ＲＮＴＩによってスクランブリングされる。ＴＰＣ（transmit power control）を通知するＤＣＩは、ＴＰＣ−ＲＮＴＩによってスクランブリングされる。端末特定のＰＤＳＣＨまたはＰＵＳＣＨをスケジューリングするＤＣＩは、Ｃ−ＲＮＴＩ（cell ＲＮＴＩ）によってスクランブリングされる。
【００７６】
ＤＣＩフォーマット０＿０は、ＰＵＳＣＨをスケジューリングする対応策ＤＣＩとして使用され、このとき、ＣＲＣは、Ｃ−ＲＮＴＩによってスクランブリングされる。Ｃ−ＲＮＴＩでＣＲＣがスクランブリングされたＤＣＩフォーマット０＿０は、例えば、下記の情報を含む（表３）。
【００７７】
【表３】
2022500913.tif 000008
【００７８】
ＤＣＩフォーマット０＿１は、ＰＵＳＣＨをスケジューリングする非対応策ＤＣＩとして使用され、このとき、ＣＲＣは、Ｃ−ＲＮＴＩによってスクランブリングされる。Ｃ−ＲＮＴＩでＣＲＣがスクランブリングされたＤＣＩフォーマット０＿１は、例えば、下記の情報を含む（表４）。
【００７９】
【表４】
2022500913.tif 000009
【００８０】
ＤＣＩフォーマット１＿０は、ＰＤＳＣＨをスケジューリングする対応策ＤＣＩとして使用され、このとき、ＣＲＣは、Ｃ−ＲＮＴＩによってスクランブリングされる。Ｃ−ＲＮＴＩでＣＲＣがスクランブリングされたＤＣＩフォーマット１＿０は、例えば、下記の情報を含む（表５）。
【００８１】
【表５】
2022500913.tif 000010
【００８２】
ＤＣＩフォーマット１＿１は、ＰＤＳＣＨをスケジューリングする非対応策ＤＣＩとして使用され、このとき、ＣＲＣは、Ｃ−ＲＮＴＩによってスクランブリングされる。Ｃ−ＲＮＴＩでＣＲＣがスクランブリングされたＤＣＩフォーマット１＿１は、例えば、下記の情報を含む（表６）。
【００８３】
【表６】
2022500913.tif 000011
【００８４】
下記において、５Ｇ通信システムにおける下向きリンク制御チャネルについて、図面を参照しながらさらに具体的に説明する。
【００８５】
図４は、本発明の一実施形態による、５Ｇ無線通信システムにおいて、下向きリンク制御チャネルが伝送される制御リソースセット（ＣＯＲＥＳＥＴ）の一例を示す図である。図４は、周波数軸に、端末の帯域幅部分（ＵＥ bandwidth part）４１０が設定され、時間軸に、１スロット４２０内に２個の制御リソースセット（制御リソースセット＃１ ４０１、制御リソースセット＃２ ４０２）が設定されている一例を示す。制御リソースセット（４０１、４０２）は、周波数軸上の、端末の帯域幅部分４１０の全体内において、特定周波数資源４０３に設定される。時間軸上には、１つまたは複数個のＯＦＤＭシンボルが設定され、それを制御リソースセット長（control resource set duration）４０４と定義する。図４に図示された例を参照すると、制御リソースセット＃１ ４０１は、２シンボルの制御リソースセット長に設定されており、制御リソースセット＃２ ４０２は、１シンボルの制御リソースセット長に設定されている。
【００８６】
上述の５Ｇにおける制御リソースセットは、基地局が端末に、上位階層シグナリング（例えば、システム情報（system information）、ＭＩＢ、またはＲＲＣシグナリング）を介して設定する。端末に制御リソースセットを設定するということは、制御リソースセット識別子、制御リソースセットの周波数位置、制御リソースセットのシンボル長のような情報を端末に提供することを意味する。例えば、下記の情報を含む（表７）。
【００８７】
【表７】
2022500913.tif 000012
【００８８】
表７において、ｔｃｉ−ＳｔａｔｅｓＰＤＣＣＨ（簡に、ＴＣＩ stateと称する）設定情報は、対応する制御リソースセットで伝送されるＤＭＲＳとＱＣＬ関係にある１つまたは複数個のＳＳ／ＰＢＣＨブロックインデックス、またはＣＳＩ−ＲＳ（channel state information reference signal）インデックスの情報を含む。
【００８９】
図５は、本発明の一実施形態による、５Ｇで使用される下向きリンク制御チャネルを構成する時間資源及び周波数資源の基本単位の一例を示す図である。図５によれば、制御チャネルを構成する時間資源及び周波数資源の基本単位を、ＲＥＧ（resource element group）５０３と称し、ＲＥＧ５０３は、時間軸上で、１ＯＦＤＭシンボル５０１によって定義され、周波数軸上で、１ＰＲＢ（physical resource block）５０２、すなわち、１２個のサブキャリアによって定義される。基地局は、ＲＥＧ５０３を連接し、下向きリンク制御チャネル割り当て単位を構成する。
【００９０】
図５に示すように、５Ｇにおいて、下向きリンク制御チャネルが割り当てられる基本単位を、ＣＣＥ（control channel element）５０４とする場合、１つのＣＣＥ５０４は、複数のＲＥＧ５０３によって構成される。図５に示すＲＥＧ５０３を例に挙げて説明すると、ＲＥＧ５０３は、１２個のＲＥによって構成され、１つのＣＣＥ５０４が６個のＲＥＧ５０３によって構成されるならば、１つのＣＣＥ５０４は、７２個のＲＥによって構成される。下向きリンク制御リソースセットが設定されると、当該リソースセットは、複数のＣＣＥ５０４によって構成され、特定の下向きリンク制御チャネルは、制御リソースセット内の集成レベル（ＡＬ：aggregation level）に基づいて、１つまたは複数のＣＣＥ５０４にマッピングされて伝送される。制御リソースセット内のＣＣＥ５０４は、番号によって区分され、このとき、ＣＣＥ５０４の番号は、論理的なマッピング方式によって付与される。
【００９１】
図５に示す下向きリンク制御チャネルの基本単位、すなわち、ＲＥＧ５０３には、ＤＣＩがマッピングされるＲＥと、それをデコーディングするためのレファレンス信号であるＤＭＲＳ５０５がマッピングされる領域とがいずれも含まれる。図５のように、１つのＲＥＧ５０３で、３個のＤＭＲＳ５０５が伝送される。ＰＤＣＣＨの伝送に必要なＣＣＥの個数は、集成レベル（ＡＬ）により、１、２、４、８、１６個になり、互いに異なるＣＣＥの個数は、下向きリンク制御チャネルのリンク適応（Link adaptation）を具現するために使用される。例えば、ＡＬ＝Ｌである場合、１つの下向きリンク制御チャネルが、Ｌ個のＣＣＥを介して伝送される。端末は、下向きリンク制御チャネルに係わる情報を知らない状態において、信号を検出しなければならないが、ブラインドデコーディングのために、ＣＣＥの集合を示す探索空間を定義した。探索空間は、与えられた集成レベル上において、端末がデコーディングを試みなければならないＣＣＥからなる下向きリンク制御チャネル候補群（candidate）の集合であり、１、２、４、８、１６個のＣＣＥで１つのバンドルを作るさまざまな集成レベルがあるので、端末は、複数個の探索空間を有する。探索空間セットは、設定された全ての集成レベルにおける探索空間の集合と定義される。
【００９２】
探索空間は、共通（common）探索空間と端末特定（ＵＥ−specific）探索空間とに分類される。一定グループの端末、または全ての端末が、システム情報に係わる動的なスケジューリングや、ページングメッセージのようなセル共通の制御情報を受信するために、ＰＤＣＣＨの共通探索空間を調査する。例えば、セルの事業者情報などを含むＳＩＢの伝送のためのＰＤＳＣＨスケジューリング割り当て情報は、ＰＤＣＣＨの共通探索空間を調査（検出またはモニタリング）して受信される。共通探索空間の場合、一定グループの端末、または全ての端末がＰＤＣＣＨを受信しなければならないので、事前に指定されたＣＣＥの集合として定義される。端末特定的なＰＤＳＣＨまたはＰＵＳＣＨに係わるスケジューリング割り当て情報は、ＰＤＣＣＨの端末特定探索空間を調査することによって受信される。端末特定探索空間は、端末の身元、及び多様なシステムパラメータの関数として、端末特定的に定義される。
【００９３】
５Ｇにおいては、ＰＤＣＣＨに係わる探索空間のパラメータは、上位階層シグナリング（例えば、ＳＩＢシグナリング、ＭＩＢシグナリング、またはＲＲＣシグナリング）において、基地局から端末に設定される。例えば、基地局は、各集成レベルＬにおけるＰＤＣＣＨ候補群数、探索空間に対するモニタリング周期、探索空間に対するスロット内シンボル単位のモニタリングオケージョン、探索空間のタイプ（共通探索空間または端末特定探索空間）、当該探索空間でモニタリングしようとするＤＣＩフォーマットとＲＮＴＩとの組み合わせ、探索空間をモニタリングしようとする制御リソースセットインデックスなどを端末に設定する。例えば、下記の情報を含む（表８）。
【００９４】
【表８】
2022500913.tif 000013
【００９５】
設定情報に基づいて、基地局は端末に、１つまたは複数個の探索空間セットを設定する。一実施形態によれば、基地局は端末に、探索空間セット１及び探索空間セット２を設定し、探索空間セット１において、Ｘ−ＲＮＴＩでスクランブリングされたＤＣＩフォーマットＡを、共通探索空間でモニタリングするように設定し、探索空間セット２において、Ｙ−ＲＮＴＩでスクランブリングされたＤＣＩフォーマットＢを、端末特定探索空間でモニタリングするように設定する。
【００９６】
上述の設定情報によれば、共通探索空間または端末特定探索空間に、１つまたは複数個の探索空間セットが存在する。例えば、探索空間セット＃１及び探索空間セット＃２が、共通探索空間に設定され、探索空間セット＃３及び探索空間セット＃４が、端末特定探索空間に設定される。
【００９７】
共通探索空間において、下記のＤＣＩフォーマットとＲＮＴＩとの組み合わせがモニタリングされる。但し、下記の例に限定されるものではない。
【００９８】
−ＤＣＩ format ０＿０／１＿０ with ＣＲＣ scrambled by Ｃ−ＲＮＴＩ，ＣＳ−ＲＮＴＩ，ＳＰ−ＣＳＩ−ＲＮＴＩ，ＲＡ−ＲＮＴＩ，ＴＣ−ＲＮＴＩ，Ｐ−ＲＮＴＩ，ＳＩ−ＲＮＴＩ
−ＤＣＩ format ２＿０ with ＣＲＣ scrambled by ＳＦＩ−ＲＮＴＩ
−ＤＣＩ format ２＿１ with ＣＲＣ scrambled by ＩＮＴ−ＲＮＴＩ
−ＤＣＩ format ２＿２ with ＣＲＣ scrambled by ＴＰＣ−ＰＵＳＣＨ−ＲＮＴＩ，ＴＰＣ−ＰＵＣＣＨ−ＲＮＴＩ
−ＤＣＩ format ２＿３ with ＣＲＣ scrambled by ＴＰＣ−ＳＲＳ−ＲＮＴＩ
【００９９】
端末特定探索空間において、下記のＤＣＩフォーマットとＲＮＴＩとの組み合わせがモニタリングされる。但し、下記の例に限定されるものではない。
【０１００】
−ＤＣＩ format ０＿０／１＿０ with ＣＲＣ scrambled by Ｃ−ＲＮＴＩ，ＣＳ−ＲＮＴＩ，ＴＣ−ＲＮＴＩ
−ＤＣＩ format １＿０／１＿１ with ＣＲＣ scrambled by Ｃ−ＲＮＴＩ，ＣＳ−ＲＮＴＩ，ＴＣ−ＲＮＴＩ
【０１０１】
上記で列挙されているＲＮＴＩは、下記の定義及び用途にしたがう。
【０１０２】
Ｃ−ＲＮＴＩ（cell RNTI）：端末特定ＰＤＳＣＨスケジューリング用途
ＴＣ−ＲＮＴＩ（temporary cell ＲＮＴＩ）：端末特定ＰＤＳＣＨスケジューリング用途
ＣＳ−ＲＮＴＩ（configured scheduling ＲＮＴＩ）：準静的に設定された端末特定ＰＤＳＣＨスケジューリング用途
ＲＡ−ＲＮＴＩ（random access ＲＮＴＩ）：ランダムアクセス段階におけるＰＤＳＣＨスケジューリング用途
Ｐ−ＲＮＴＩ（paging ＲＮＴＩ）：ページングが伝送されるＰＤＳＣＨスケジューリング用途
ＳＩ−ＲＮＴＩ（system information ＲＮＴＩ）：システム情報が伝送されるＰＤＳＣＨスケジューリング用途
ＩＮＴ−ＲＮＴＩ（interruption ＲＮＴＩ）：ＰＤＳＣＨに対するpuncturingいかんを知らせるための用途
ＴＰＣ−ＰＵＳＣＨ−ＲＮＴＩ（transmit power control for ＰＵＳＣＨ ＲＮＴＩ）：ＰＵＳＣＨに対する電力調節命令指示用途
ＴＰＣ−ＰＵＣＣＨ−ＲＮＴＩ（transmit power control for ＰＵＣＣＨ ＲＮＴＩ）：ＰＵＣＣＨに対する電力調節命令指示用途
ＴＰＣ−ＳＲＳ−ＲＮＴＩ（transmit power control for ＳＲＳ ＲＮＴＩ）：ＳＲＳに対する電力調節命令指示用途
【０１０３】
上述のＤＣＩフォーマットは、下記の定義による（表９）。
【０１０４】
【表９】
2022500913.tif 000014
【０１０５】
５Ｇにおいて、制御リソースセットｐ、探索空間セットｓにおいて、集成レベルＬの探索空間は、下記の数式１のように表現される。
【０１０６】
【数１】
2022500913.tif 000015
【０１０７】
2022500913.tif 000016
【０１０８】
５Ｇにおいては、複数個の探索空間セットが、互いに異なるパラメータ（例えば、表８のパラメータ）によって設定されることにより、毎回、端末がモニタリングする探索空間セットが異なる。例えば、探索空間セット＃１が、Ｘスロット周期によって設定されており、探索空間セット＃２が、Ｙスロット周期によって設定されており、ＸとＹとが異なる場合、端末は、特定スロットにおいては、探索空間セット＃１と探索空間セット＃２とをいずれもモニタリングし、別の特定スロットにおいては、探索空間セット＃１と探索空間セット＃２とのうちの１つをモニタリングする。
【０１０９】
複数個の探索空間セットが端末に設定された場合、端末がモニタリングしなければならない探索空間セットを決定する方法において、下記の条件が考慮される。
【０１１０】
［条件１：最大ＰＤＣＣＨ候補群数制限］
スロット当たりモニタリングされるＰＤＣＣＨ候補群の数は、Ｍμを超えない。Ｍμは、サブキャリア間隔１５・２μｋＨｚに設定されたセルにおけるスロット当たり最大ＰＤＣＣＨ候補群数と定義され、下記表のように定義される（表１０）。
【０１１１】
【表１０】
2022500913.tif 000017
【０１１２】
［条件２：最大ＣＣＥ数制限］
スロット当たり全体探索空間（ここで、全体探索空間とは、複数個の探索空間セットのunion領域に該当する全体ＣＣＥ集合を意味する）を構成するＣＣＥの個数がＣμを超えない。Ｃμは、サブキャリア間隔１５・２μｋＨｚに設定されたセルにおけるスロット当たり最大ＣＣＥの数と定義され、下記の表のように定義される（表１１）。
【０１１３】
【表１１】
2022500913.tif 000018
【０１１４】
説明の便宜のために、特定時点において、条件１、２をいずれも満足する状況を「条件Ａ」と定義する。従って、条件Ａを満足しないということは、条件１、２のうちの少なくとも１つの条件を満足しないことを意味する。
【０１１５】
基地局の探索空間セットの設定により、特定時点において、条件Ａを満足しない場合が発生しうる。特定時点において、条件Ａを満足しない場合、端末は、当該時点において、条件Ａを満足するように設定された探索空間セットのうちの一部のみを選択してモニタリングし、基地局は、選択された探索空間セットにＰＤＣＣＨを伝送する。
【０１１６】
５Ｇ通信システムにおいては、端末の電力消費低減を目的に、下向きリンク制御チャネル（ＰＤＣＣＨ）をモニタリングするか否かを、Ｌ１（layer １）シグナリングで調節する方法が論議されている。Ｌ１シグナリングには、端末がＰＤＣＣＨに対するモニタリングを行うことを指示するシグナル（それを、ＷＵＳ（wake-up signal）と称する）、またはＰＤＣＣＨに対するモニタリングを行わないことを指示するシグナル（それをＧＴＳ（go-to-sleep signal）と称する）などが含まれる。例えば、基地局は端末に、ＷＵＳを伝送し、端末は、ＷＵＳを検出した以後の時点から、ＰＤＣＣＨに対するモニタリングを行う。また、他の一例として、基地局は端末に、ＧＴＳを伝送し、端末は、ＧＴＳを検出した以後の時点から、ＰＤＣＣＨに対するモニタリングを特定時間の間に行わない。
【０１１７】
上述のＰＤＣＣＨに対するモニタリング動作を制御するＬ１シグナルを総称して、「低電力モード指示子（low power mode indicator）（または、電力節約モード指示子（power saving mode indicator））、ＷＵＳ、ＧＴＳ、ＭＴＳ（monitoring termination signal）」と命名する。基地局は、低電力モード指示子に係わる設定情報を端末に通知し、端末は、通知された低電力モード指示子に係わる設定情報に基づき、低電力モード指示子に対するモニタリングを行い、それによるＰＤＣＣＨに対するモニタリング動作を異なって制御する。
【０１１８】
本発明においては、ＷＵＳに係わる設定方法と、それによる基地局及び端末の動作とを提案する。低電力モード指示子に係わる設定方法（例えば、時間／周波数／周期設定方法、または帯域幅部分設定方法）、低電力モード指示子を伝送する物理階層チャネル構造（シーケンスに基づいた伝送方法、またはＤＣＩに基づいた伝送方法）、低電力モード指示子に対するモニタリング方法（活性化／非活性化方法、または端末要請基盤活性化方法）、端末が低電力モード指示子を検出したときにＰＤＣＣＨをモニタリングする方法、端末が低電力モード指示子をモニタリングする間に、上向きリンク制御チャネル及びデータチャネルの伝送方法などを含む。
【０１１９】
本発明で提案するＷＵＳを伝送する方法、及びそれによる端末のＰＤＣＣＨモニタリング方法を介して、ＰＤＣＣＨモニタリングによる端末の電力消費を最小化させる。
【０１２０】
以下、本発明の実施形態について、図面と共に詳細に説明する。以下では、５Ｇシステムを一例として、本発明の実施形態について説明するが、類似の技術的背景またはチャネル形態を有するそれ以外の通信システムにも、本発明の実施形態が適用されうる。例えば、ＬＴＥ（登録商標）移動通信またはＬＴＥ−Ａ移動通信、及び５Ｇ以後に開発される移動通信技術がそれらに含まれる。従って、本発明の実施形態は、当業者の判断によって、本発明の技術範囲を大きく逸脱しない範囲内において、一部変形を介して、他の通信システムにも適用されうる。
【０１２１】
また、本明細書の説明において、関連する機能または構成に係わる具体的な説明が、本発明の要旨を必要以上に不明確にしうると判断された場合、その詳細な説明は省略する。そして、後述する用語は、本発明における機能を考慮して定義された用語であり、それらは、ユーザ、運用者の意図または慣例などによっても異なる。従って、それらの定義は、本明細書全般にわたる内容を基になされなければならない。
【０１２２】
＜第１実施形態＞
本発明の第１実施形態においては、低電力モード指示子を送受信する方法を提案する。より具体的には、基地局が端末に、低電力モード指示子を伝送するために必要な設定を遂行する方法、設定情報を通知する方法、端末が基地局から低電力モード指示子に係わる設定情報を受信する方法、及び設定情報に基づいて低電力モード指示子に対するモニタリングを行う方法を提案する。
【０１２３】
低電力モード指示子には、代表なものとして、下記のシグナル、または下記の機能を遂行するシグナルが含まれる。
【０１２４】
−ＷＵＳ（wake up signal）
端末がＰＤＣＣＨに対するモニタリングを行うことを指示するシグナルに該当する。例えば、基地局は端末に、ＷＵＳを伝送し、端末は、ＷＵＳを検出した以後の時点から、ＰＤＣＣＨに対するモニタリングを行う。
−ＧＴＳ（go-to-sleep signal）
端末がＰＤＣＣＨに対するモニタリングを行わないことを指示するシグナルに該当する。例えば、基地局は端末に、ＧＴＳを伝送し、端末は、ＧＴＳを検出した以後の時点から、ＰＤＣＣＨに対するモニタリングを特定時間の間行わない。
【０１２５】
以下で、本発明の具体的な実施形態を説明するにおいて、低電力モード指示子をＷＵＳまたはＧＴＳと見なして説明する。ＷＵＳまたはＧＴＳと同一の役割を行う一般的な全ての低電力モード指示子にも、本発明の実施形態が同一に適用される。また、以下の実施形態は、組み合わせされて遂行される。
【０１２６】
＜第１−１実施形態＞
図６は、本発明の第１−１実施形態によるＷＵＳ伝送方法を示す図である。基地局は端末に、ＷＵＳ６００が伝送される時間資源６０１、周波数資源６０２、及び伝送周期６０３を、上位階層シグナリング（例えば、ＭＩＢ、ＳＩＢ、またはＲＲＣシグナリング）を介して設定する。ＷＵＳ６００は、設定された時間資源６０１、周波数資源６０２、伝送周期６０３、及びモニタリング長（monitoring duration、monitoring window）に基づいて、基地局から端末に伝送される。ＷＵＳ６００は、事前定義された特定シーケンスに該当し、例えば、ＺＣ（Zadoff-Chu）シーケンス、ｍシーケンス、goldシーケンスのうちの１つに該当する。但し、上記の例に限定されるものではない。
【０１２７】
また、一実施形態によれば、ＷＵＳ６００は、端末特定的に定義される。例えば、ＷＵＳ６００に該当するシーケンスが、端末ＩＤ（例えば、Ｃ−ＲＮＴＩ）によって決定されるか、あるいは基地局が端末に設定した端末特定的なＩＤによって決定される。端末は、ＷＵＳ６００に係わる設定情報を受信し、設定された時間資源６０１及び周波数資源６０２に伝送されるＷＵＳ６００を、設定された周期６０３ごとにモニタリングする。
【０１２８】
端末は基地局から、ＷＵＳに係わる時間資源６０１、周波数資源６０２、伝送周期６０３などの設定情報を、上位階層シグナリング（例えば、ＭＩＢ、ＳＩＢ、またはＲＲＣシグナリング）を介して通知され、設定された資源において、ＷＵＳに対するモニタリングを行う。
【０１２９】
ＷＵＳについて、下記のパラメータのうちの少なくとも１つ以上のパラメータが設定される。
−時間資源割り当て情報
−周波数資源割り当て情報
−モニタリング周期及びモニタリングオケージョン
−モニタリング区間またはモニタリング長
−ＴＣＩ（transmission configuration indicator）状態（state）、ＱＣＬ（quasi-colocated）の設定情報
−シーケンスＩＤ
【０１３０】
＜第１−２実施形態＞
図７は、本発明の第１−２実施形態によるＷＵＳ伝送方法を示す図である。図７においては、ＷＵＳについて図示したが、ＷＵＳと同一役割を行う一般的な全ての低電力モード指示子に該当するシグナルについても、同一に適用される。基地局は端末に、ＷＵＳに該当するＤＣＩ７０１を伝送する。
【０１３１】
図７に示すように、基地局は端末に、ＷＵＳに該当するＤＣＩ７０１を伝送するための制御リソースセット７００及び探索空間７０２を設定する。
【０１３２】
＜第１−２−１実施形態＞
基地局が端末に、ＷＵＳに該当するＤＣＩ７０１を伝送するための制御リソースセット７００を設定する方法は、下記の通りである。
【０１３３】
ＷＵＳに該当するＤＣＩ７０１が伝送される制御リソースセット７００は、基地局が端末に、ＭＩＢに設定した制御リソースセット（すなわち、ＩＤが０である制御リソースセットまたは制御リソースセット＃０）に該当する。すなわち、ＷＵＳに該当するＤＣＩ７０１に係わる探索空間は、常時、制御リソースセット＃０に関連している。探索空間が制御リソースセットに関連しているということは、当該探索空間が関連している制御リソースセットにおいて定義されることを意味する（それは、表８の探索空間に係わるＲＲＣパラメータ（SearchSpace ＩＥ）において、パラメータ（ControlResourceSetId）の値を関連させようとする制御リソースセットのＩＤに指定することによって設定される）。
【０１３４】
または、ＷＵＳに該当するＤＣＩ７０１が伝送される制御リソースセット７００は、基地局が端末に、上位階層シグナリング、例えば、ＲＲＣシグナリングを介して設定され、［表７］のパラメータで設定される。すなわち、ＷＵＳに該当するＤＣＩ７０１の探索空間は、常時、ＲＲＣシグナリングを介して設定される任意の制御リソースセットと関連する。
【０１３５】
また、基地局が端末に、ＷＵＳに該当するＤＣＩ７０１を伝送するための制御リソースセット７００を設定する他の方法は、下記の通りである。
【０１３６】
ＷＵＳに該当するＤＣＩ７０１が伝送される制御リソースセット７００は、特定帯域幅部分にのみ存在する。一例として、ＭＩＢに設定される初期帯域幅部分に設定される。また、一実施形態によれば、ＷＵＳに該当するＤＣＩ７０１が伝送される制御リソースセット７００は、ＳＩＢに設定される初期帯域幅部分に存在する。また、一実施形態によれば、ＷＵＳに該当するＤＣＩ７０１が伝送される制御リソースセット７００は、上位階層シグナリング、例えば、ＲＲＣシグナリングに設定される帯域幅部分のうち、基本帯域幅部分（default bandwidth part）に該当する帯域幅部分に存在する。一実施形態によれば、基本帯域幅部分とは、端末が上位階層シグナリングに設定された時間（ｂｗｐ−InactivityTimer）の間、ＤＣＩを検出することができなかった場合に、回帰する帯域幅部分に該当する。
【０１３７】
また、一実施形態によれば、基地局は端末に、ＷＵＳに該当するＤＣＩ７０１が伝送される制御リソースセット７００をモニタリングするための帯域幅部分を、上位階層シグナリング、例えば、ＲＲＣシグナリングを介して設定する。すなわち、ＷＵＳに該当するＤＣＩ７０１に係わる探索空間は、常時、特定帯域幅部分に存在する制御リソースセットに関連する。
【０１３８】
または、ＷＵＳに該当するＤＣＩ７０１が伝送される制御リソースセット７００は、各帯域幅部分にいずれも存在する。すなわち、ＷＵＳに該当するＤＣＩ７０１に係わる探索空間は、ＲＲＣシグナリングを介して設定される任意の帯域幅部分に存在する制御リソースセットと関連する。
【０１３９】
また、基地局が端末に、ＷＵＳに該当するＤＣＩ７０１を伝送するための制御リソースセット７００を設定するさらに他の方法は、下記の通りである。
【０１４０】
ＷＵＳに該当するＤＣＩ７０１が伝送される制御リソースセット７００は、共通探索空間に設定された制御リソースセットに該当する。すなわち、ＷＵＳに該当するＤＣＩ７０１に係わる探索空間タイプが、共通探索空間に設定される制御リソースセットと関連する。
【０１４１】
または、ＷＵＳに該当するＤＣＩ７０１が伝送される制御リソースセット７００は、端末特定探索空間に設定された制御リソースセットに該当する。すなわち、ＷＵＳに該当するＤＣＩ７０１に係わる探索空間タイプが、端末特定探索空間に設定される制御リソースセットに関連する。
【０１４２】
また、基地局が端末に、ＷＵＳに該当するＤＣＩ７０１を伝送するための制御リソースセット７００を設定するさらに他の方法は、下記の通りである。
【０１４３】
ＷＵＳに該当するＤＣＩ７０１が伝送される制御リソースセット７００の設定パラメータのうちの特定パラメータが特定値に設定される。例えば、制御リソースセット７００に係わる［表７］のパラメータのうちで、precoderGranularityが、allContiguousRBsに設定される（それは、すなわち、制御リソースセットのＤＭＲＳがwideband ＲＳに設定されると理解される）。precoderGranularityが、allContiguousRBsに設定される場合、端末は、制御リソースセット内の連続するＲＢで伝送される全てのＤＭＲＳについて、同一precodingが適用されたと仮定する。
【０１４４】
＜第１−２−２実施形態＞
図７に示すように、基地局は端末に、ＷＵＳに該当するＤＣＩ７０１を伝送するための探索空間７０２を、上位階層シグナリング（例えば、ＭＩＢ、ＳＩＢ、またはＲＲＣシグナリング）を介して設定する。例えば、基地局は、表８に記載されている探索空間に係わるパラメータ（すなわち、スロット単位のモニタリング周期及びオフセット、シンボル単位のモニタリングオケージョン、各ＡＬ別のＰＤＣＣＨ候補群数、探索空間タイプ、ＤＣＩフォーマットなど）を設定する。
【０１４５】
基地局が端末に、ＷＵＳをモニタリングする探索空間７０２を設定する方法において、基地局は、探索空間の探索空間タイプを、下記の方法のうちの少なくとも１つの方法によって設定する。
【０１４６】
［方法１］
探索空間タイプを、ＣＳＳ（common search space）と設定し、探索空間を決定するパラメータのうちのＹ＿（ｐ，ｎμｓ，ｆ）値が０に該当する。すなわち、ＷＵＳに該当するＤＣＩが、共通探索空間に伝送される。端末は、共通探索空間において、ＷＵＳに該当するＤＣＩをモニタリングする。
【０１４７】
［方法２］
探索空間タイプを、ＣＳＳまたはＧＣＳＳ（group common search space）に設定し、探索空間を決定するパラメータのうちのＹ＿（ｐ，ｎμｓ，ｆ）値が、グループ共通のＲＮＴＩ（例えば、ＧＣ−ＲＮＴＩ）に決定される。すなわち、ＷＵＳに該当するＤＣＩが、グループに共通して定義された探索空間に伝送される。端末は、グループ共通探索空間において、ＷＵＳに該当するＤＣＩをモニタリングする。
【０１４８】
［方法３］
探索空間タイプを、ＵＳＳ（ＵＥ−specific search space）に設定し、Ｙ＿（ｐ，ｎμｓ，ｆ）値は、端末の身元（Ｃ−ＲＮＴＩ、または基地局が端末に設定したＩＤ）と、時間インデックスとによって変わる値に該当する。すなわち、ＷＵＳに該当するＤＣＩが、端末特定的に定義された探索空間に伝送される。端末は、端末特定探索空間において、ＷＵＳに対抗するＤＣＩをモニタリングする。
【０１４９】
基地局が端末に、ＷＵＳをモニタリングする探索空間７０２を設定する方法において、基地局は、探索空間でモニタリングするＤＣＩフォーマットを、下記の方法のうちの少なくとも１つの方法によって設定する。
【０１５０】
［方法１］
基地局は、ＷＵＳを伝送する目的で定義された特定ＤＣＩフォーマット（例えば、ＤＣＩフォーマット０−２または１−２、あるいはＤＣＩフォーマット３）をモニタリングするように設定する。ＷＵＳ用ＤＣＩフォーマットは、ＷＵＳ−ＲＮＴＩによってスクランブリングされる。端末は、ＷＵＳに該当するＤＣＩフォーマットが、ＷＵＳ−ＲＮＴＩでスクランブリングされていると仮定して受信する。すなわち、ＷＵＳに該当するＤＣＩフォーマットは、ＷＵＳ−ＲＮＴＩで逆スクランブリングされる。
【０１５１】
［方法２］
基地局は、ＷＵＳに該当するＲＮＴＩ（例えば、ＷＵＳ−ＲＮＴＩ）でスクランブリングされたＤＣＩフォーマット０−０または１−０をモニタリングするように設定する。端末は、ＷＵＳ−ＲＮＴＩを設定された場合、ＤＣＩフォーマット０−０または１−０に対し、ＷＵＳ−ＲＮＴＩでスクランブリングされたＤＣＩをモニタリングする。
【０１５２】
［方法３］
基地局は、ＷＵＳに該当するＲＮＴＩ（例えば、ＷＵＳ−ＲＮＴＩ）でスクランブリングされたＤＣＩフォーマット０−１または１−１をモニタリングするように設定する。端末は、ＷＵＳ−ＲＮＴＩを設定された場合、ＤＣＩフォーマット０−１または１−１に対し、ＷＵＳ−ＲＮＴＩでスクランブリングされたＤＣＩをモニタリングする。
【０１５３】
＜第１−３実施形態＞
基地局は端末に、上位階層シグナリング（例えば、ＭＩＢ、ＳＩＢ、またはＲＲＣシグナリング）を介して、ＷＵＳに係わる多様な設定情報を通知する（第１−１実施形態及び第１−２実施形態を参照）。ＷＵＳに係わる設定情報を受信した端末は、ＷＵＳに対するモニタリングを行う。本発明の第１−３実施形態においては、基地局が端末のＷＵＳに対するモニタリングを行うように、活性化（activation、triggering）する方法を提案する。以下の実施形態のうち、１つまたは複数個が組み合わされて運用される。
【０１５４】
＜第１−３−１実施形態＞
基地局は端末に、ＷＵＳに係わる設定情報を、上位階層シグナリング（例えば、ＭＩＢ、ＳＩＢ、またはＲＲＣシグナリング）を介して通知する（第１実施形態を参照）。基地局から、ＷＵＳに係わる設定情報を受信した端末は、ＷＵＳに対するモニタリングを行う。
【０１５５】
＜第１−３−２実施形態＞
基地局は端末に、ＷＵＳに係わる設定情報を、上位階層シグナリング（例えば、ＭＩＢ、ＳＩＢ、またはＲＲＣシグナリング）を介して通知する。基地局は端末に、ＷＵＳに係わる設定情報だけではなく、ＷＵＳに対するモニタリング動作を活性化させるメッセージを追加して伝送する。端末は、ＷＵＳに対するモニタリング活性化メッセージを受信した後、基地局から通知されたＷＵＳに係わる設定情報により、ＷＵＳに対するモニタリングを行う。
【０１５６】
図８Ａは、本発明の第１−３−２実施形態による基地局８００及び端末８０１の動作を示す図である。
【０１５７】
段階８０２において、基地局８００は、端末８０１に、ＷＵＳに係わる設定情報を、上位階層シグナリング（例えば、ＭＩＢ、ＳＩＢ、またはＲＲＣシグナリング）を介して通知する。段階８０３において、基地局８００は、端末８０１に、ＷＵＳに対するモニタリングを活性化させるメッセージを、上位階層シグナリング（例えば、ＲＲＣシグナリングまたはＭＡＣ ＣＥシグナリング）またはＬ１シグナリング（例えば、ＤＣＩ）を介して追加して伝送する。
【０１５８】
段階８０２において、端末８０１は、基地局８００から、ＷＵＳに係わる設定情報を受信する。段階８０３において、端末８０１は、基地局８００からＷＵＳに対するモニタリングを活性化せよというメッセージを追加して受信する。段階８０３において、ＷＵＳに対するモニタリング活性化メッセージを受信した端末は、段階８０２において、基地局から通知されたＷＵＳに係わる設定情報により、ＷＵＳに対するモニタリングを行う。
【０１５９】
本発明の第１−３−２実施形態においては、ＷＵＳに対するモニタリング活性化メッセージを追加して導入することにより、基地局が所望する時点において、端末のＷＵＳに対するモニタリングを行うように調整する。
【０１６０】
＜第１−３−３実施形態＞
基地局は端末に、ＷＵＳに係わる設定情報を、上位階層シグナリング（例えば、ＭＩＢ、ＳＩＢ、またはＲＲＣシグナリング）を介して通知する。端末は基地局に、ＷＵＳに対するモニタリング活性化を要請するメッセージを伝送する。端末から、ＷＵＳに対するモニタリング活性化を要請するメッセージを受信した基地局は、ＷＵＳに対するモニタリングを活性化させるメッセージを追加して送って端末のＷＵＳに対するモニタリングを活性化させる。
【０１６１】
図８Ｂは、本発明の第１−３−３実施形態による、基地局８１０及び端末８１１の動作を示す図である。
【０１６２】
段階８１２において、基地局８１０は、端末８１１にＷＵＳに係わる設定情報を、上位階層シグナリング（例えば、ＭＩＢ、ＳＩＢ、またはＲＲＣシグナリング）を介して通知する。段階８１３において、端末８１１は、基地局８１０に、ＷＵＳに対するモニタリング活性化を要請するメッセージを、上位階層シグナリング（例えば、ＲＲＣシグナリングまたはＭＡＣ ＣＥシグナリング）またはＬ１シグナリング（例えば、ＵＣＩ）を介して伝送する。段階８１４において、基地局８１０は、端末８１１に、ＷＵＳに対するモニタリングを活性化させるメッセージを、上位階層シグナリング（例えば、ＲＲＣシグナリングまたはＭＡＣ ＣＥシグナリング）またはＬ１シグナリング（例えば、ＤＣＩ）を介して追加して伝送する。段階８１４において、ＷＵＳに対するモニタリング活性化メッセージを受信した端末は、段階８１２において、基地局から通知されたＷＵＳに係わる設定情報により、ＷＵＳに対するモニタリングを行う。
【０１６３】
本発明の第１−３−３実施形態においては、端末が基地局に、ＷＵＳに対するモニタリング活性化を要請するメッセージを伝送する動作を導入することにより、端末が所望する時点から、ＷＵＳに対するモニタリングを行うように調整する。
【０１６４】
また、具現方式により、本発明の第１−３−３実施形態の遂行において、段階８１４は、省略される。
【０１６５】
＜第１−３−４実施形態＞
基地局は端末に、ＷＵＳに係わる設定情報を、上位階層シグナリング（例えば、ＭＩＢ、ＳＩＢ、またはＲＲＣシグナリング）を介して通知する。基地局は端末に、上位階層シグナリング（例えば、ＭＩＢ、ＳＩＢ、またはＲＲＣシグナリング）を介して、ＷＵＳに係わるタイマに該当する時間値（ＷＵＳ−InactivityTimerと称する）を追加して設定する。端末は、設定されたタイマ  ＷＵＳ−InactivityTimerに基づいて、ＷＵＳに対するモニタリングを遂行するか否かを判断する。すなわち、端末は、ＷＵＳ−InactivityTimerに該当する特定時間の間、ＤＣＩが検出されない場合（すなわち、タイマが満了した場合）、ＷＵＳに対するモニタリングを行う。
【０１６６】
図８Ｃは、本発明の第１−３−４実施形態による端末動作を示す図である。段階８３０において、端末は基地局から、上位階層シグナリング（例えば、ＭＩＢ、ＳＩＢ、またはＲＲＣシグナリング）を介して、タイマ設定情報、すなわち、ＷＵＳ−InactivityTimer値を受信する。上位階層シグナリングを介して、ＷＵＳ−InactivityTimer値を設定された端末は、タイマを実行（running）し、ＤＣＩが検出されない場合、特定時間間隔（例えば、１ｍｓ）ごとに、タイマ値を増大させる。段階８３１において、端末は、タイマが満了（すなわち、実行されたタイマが、設定されたInactivityTimer値に逹した場合）しているか否かを判断する。タイマが満了している場合、段階８３２において、端末は、ＷＵＳに対するモニタリングの遂行を始める。タイマが満了していない場合、段階８３３において、端末は、ＷＵＳに対するモニタリングを行わない。
【０１６７】
本発明の第１−３−４実施形態においては、タイマに基づいて、端末のＷＵＳに対するモニタリングを調整することにより、当該端末に送受信しなければならないトラフィックが少ないか、あるいはない場合、基地局は端末に、ＰＤＣＣＨを伝送しない。従って、端末は、特定時間以上、ＰＤＣＣＨが検出されない場合、ＷＵＳに対するモニタリングを遂行（すなわち、低電力モードにおける動作）し、不要なＰＤＣＣＨに対するモニタリングを最小化させる。
【０１６８】
＜第１−３−５実施形態＞
基地局は端末に、ＷＵＳに係わる設定情報を、上位階層シグナリング（例えば、ＭＩＢ、ＳＩＢ、またはＲＲＣシグナリング）を介して通知する。このとき、基地局は端末に、上位階層シグナリング（例えば、ＭＩＢ、ＳＩＢ、またはＲＲＣシグナリング）を介して、特定帯域幅部分にＷＵＳを設定する。すなわち、ＷＵＳは、特定帯域幅部分に関連する。ＷＵＳに関連している特定帯域幅部分を、第１帯域幅部分と称する。帯域幅部分活性化メッセージまたは帯域幅部分変更メッセージを介して、第１帯域幅部分が活性化された場合、端末は、第１帯域幅部分に存在するＷＵＳに対するモニタリングを始める。
【０１６９】
図８Ｄは、本発明の第１−３−５実施形態による端末動作を示す図である。段階８４０において、端末は基地局から、上位階層シグナリング（例えば、ＭＩＢ、ＳＩＢ、またはＲＲＣシグナリング）を介して、帯域幅部分に係わる設定情報を受信する。このとき、基地局は、ＷＵＳを、特定帯域幅部分（第１帯域幅部分）に設定する。このとき、第１帯域幅部分は、下記の帯域幅部分のうちの少なくとも１つに該当する。
【０１７０】
−第１帯域幅部分は、初期帯域幅部分に該当する。
−第１帯域幅部分は、基本帯域幅部分（default bandwidth part）に該当する。
−第１帯域幅部分は、狭い（narrow）帯域幅（帯域幅サイズがＸ ＲＢよりも小さい）に設定された帯域幅部分に該当する。
−第１帯域幅部分は、設定された帯域幅部分のうち、任意の帯域幅部分に該当する。
【０１７１】
段階８４１において、端末は、第１帯域幅部分を活性化するか否かを判断する。第１帯域幅部分は、上位階層シグナリング（例えば、ＲＲＣシグナリング）またはＬ１シグナリング（例えば、ＤＣＩシグナリング）、あるいはタイマに基づいた方法（第１帯域幅部分が基本帯域幅部分に該当する場合、タイマ満了時、基本帯域幅部分が活性化される動作）などの方法によって活性化される。より具体的には、下記の動作による。
【０１７２】
−基地局は端末に、上位階層シグナリング（例えば、ＭＩＢ、ＳＩＢ、またはＲＲＣシグナリング）を介して、１つまたは複数個の帯域幅部分を設定し、上位階層シグナリング（例えば、ＲＲＣシグナリング）において活性化させる帯域幅部分を指示する。ＲＲＣによって最初に活性化される帯域幅部分を、FirstActiveDownlinkBWP／FirstActiveUplinkBWPと指示する。端末は、設定されている帯域幅部分のうち、ＲＲＣを介して指示された帯域幅部分を活性化させる。
−基地局は端末に、上位階層シグナリング（例えば、ＭＩＢ、ＳＩＢ、ＲＲＣシグナリング）を介して、１つまたは複数個の帯域幅部分を設定し、Ｌ１シグナリング、すなわち、ＤＣＩに存在する帯域幅部分指示子（bandwidth part indicator）で活性化する帯域幅部分を指示する。端末は、帯域幅部分指示子によって指示されたインデックスに該当する帯域幅部分を活性化させる。帯域幅部分指示子によって指示された帯域幅部分インデックスが、現在活性化された帯域幅部分のインデックスと異なる場合、端末は、帯域幅部分指示子によって指示された帯域幅部分を活性化させる。
−基地局は端末に、上位階層シグナリング（例えば、ＭＩＢ、ＳＩＢ、またはＲＲＣシグナリング）を介して、１つまたは複数個の帯域幅部分を設定し、そのうちの１つを、基本帯域幅部分（default bandwidth part）に設定する。また、基地局は端末に、基本帯域幅部分に係わるタイマ（ＢＷＰ−InacitivityTimer）を設定する。基本帯域幅部分ではない他の帯域幅部分で動作している端末は、現在活性化された帯域幅部分において、特定時間の間、ＤＣＩが検出されない場合（すなわち、ＢＷＰ−InactivityTimerが満了した場合）、基本帯域幅部分に帯域幅部分を変更する。
【０１７３】
第１帯域幅部分が活性化されている場合、段階８４２において、端末は、ＷＵＳに対するモニタリングの遂行を始める。第１帯域幅部分が活性化されていない場合、段階８４３において、端末は、ＷＵＳに対するモニタリングを行わない。
【０１７４】
本発明の第１−３−５実施形態において、基地局は端末に、相対的に狭い帯域幅サイズを有する帯域幅部分にＷＵＳを設定し、それにより、端末がＷＵＳをモニタリングするときには、狭い帯域幅部分で動作させることにより、端末の電力消費低減利得を大きくすることができる。
【０１７５】
＜第１−３−６実施形態＞
基地局は端末に、ＷＵＳに係わる設定情報を、上位階層シグナリング（例えば、ＭＩＢ、ＳＩＢ、またはＲＲＣシグナリング）を介して通知する。基地局は端末に、上位階層シグナリング（例えば、ＭＩＢ、ＳＩＢ、またはＲＲＣシグナリング）を介して、ＷＵＳに係わるタイマに該当する時間値（ＷＵＳ−InactivityTimerと称する）を追加して設定する。端末は、設定されたタイマ  ＷＵＳ−InactivityTimerとＢＷＰ−InacitivityTimerとに基づいて、ＷＵＳに対するモニタリングを遂行するか否かを判断する。ＷＵＳに対するモニタリングを遂行するか否かの判断に使用されるタイマが、InactivityTimer＝ｍｉｎ（ＷＵＳ−InactivityTimer，ＢＷＰ−InactivityTimer）と定義され、このとき、ｍｉｎ（ａ，ｂ）は、ａとｂとのうちのより小さいか、あるいは同じ値を出力する関数に該当する。端末は、InactivityTimerに該当する特定時間の間、ＤＣＩが検出されない場合（すなわち、タイマが満了した場合）、ＷＵＳに対するモニタリングを行う。
【０１７６】
＜第２実施形態＞
本発明の第２実施形態においては、端末のＷＵＳに対するモニタリング動作、及びそれによる端末のＰＤＣＣＨに対するモニタリング動作方法を提案する。
【０１７７】
図９は、本発明の第２実施形態による端末のＷＵＳ９００に対するモニタリング動作、及びそれに続く端末のＰＤＣＣＨに対するモニタリング動作の一例を示す図である。図９には、一定の周期９１０で設定されたＷＵＳ９００をモニタリングする端末の一例が図示されている。図９の例において、端末は、複数個の探索空間セット（探索空間セット＃１（９０３）、探索空間セット＃２（９０４）、及び探索空間セット＃３（９０５））を設定され、ＰＤＣＣＨに対するモニタリングを行う状況を示している。基地局は、設定された周期９１０において、ＷＵＳ９００を伝送したり（９０１）、伝送しなかったり（９０２）する。端末は、設定された周期９１０ごとに、ＷＵＳ９００をモニタリングし、ＷＵＳが検出されなければ（９０２）、端末は、ＰＤＣＣＨモニタリングを行わない（９０６）。端末は、設定された周期９１０ごとに、ＷＵＳ９００をモニタリングし、ＷＵＳが検出されると（９０１）、ＷＵＳ９００を検出した時点から特定時間Ｔgap（９０７）以後、特定時間区間Ｔduration（９０８）の間に検出されたＷＵＳ９００に関連している探索空間セットについて、ＰＤＣＣＨに対するモニタリングを行う（９０８）。ＷＵＳ９００は、設定されている探索空間セットの全体または一部に関連している。例えば、ＷＵＳ９００が設定された探索空間セット全体（９０３、９０４、９０５）に関連している場合、端末は、ＷＵＳ９００を検出した後、Ｔgap（９０７）以後、設定されている全ての探索空間セットについて、ＰＤＣＣＨに対するモニタリングを行う。他の例として、ＷＵＳ９００が設定された探索空間セットのうちの一部、例えば、図９において、探索空間セット＃１（９０３）に関連している場合、端末は、ＷＵＳ９００を検出した後、Ｔgap（９０７）以後、設定されている全ての探索空間セットのうち、探索空間セット＃１（９０３）に対するＰＤＣＣＨモニタリングを行う。
【０１７８】
図１０は、ＷＵＳに対するモニタリング動作と、それによるＰＤＣＣＨに対するモニタリングに係わる端末動作とを示す図である。
【０１７９】
段階１００１において、端末は基地局から、ＷＵＳに係わる設定情報を受信する（本発明の第１実施形態を参照）。段階１００２において、端末は、基地局から通知された設定情報に基づいて、ＷＵＳに対するモニタリングを行う。段階１００３において、端末は、ＷＵＳが検出されるか否かを判断する。ＷＵＳが検出されたと判断される場合、端末は、段階１００４で、検出されたＷＵＳに関連しているＰＤＣＣＨ オケージョンに対してモニタリングを行う。ＷＵＳに関連しているＰＤＣＣＨ オケージョンというのは、ＷＵＳに関連している探索空間または探索空間セット、または制御リソースセット、あるいはＤＲＸ（discontinuous reception）設定によるＰＤＣＣＨモニタリング区間（ｄｒｘ−onDurationTimer及びｄｒｘ−InactivityTimerによって決定される）によって決定されるＰＤＣＣＨ オケージョンに該当する。ＷＵＳが検出されていないと判断される場合、端末は、検出されたＷＵＳに関連しているＰＤＣＣＨ オケージョンに対するモニタリングを行わない。
【０１８０】
以下では、端末のＷＵＳに対するモニタリング動作、及びそれによる端末のＰＤＣＣＨに対するモニタリング動作に係わる具体的な実施形態を説明する。
【０１８１】
＜第２−１実施形態＞
ＷＵＳを検出する時点と、検出されたＷＵＳに関連しているＰＤＣＣＨ オケージョンに対してモニタリングを行う時点との間には、特定時間（Ｔgap）が必要である。ＷＵＳをモニタリングする間、端末は、低電力モードで動作するために、端末の一部機能を制限的に使用する。例えば、端末は、ＷＵＳをモニタリングする間、ＲＦ（radio frequency）ユニットにおいて、非常に狭い帯域幅で動作し、ＷＵＳを検出した後、ＰＤＣＣＨに対するモニタリングを行うために、帯域幅の大きさを広げる動作を遂行する、そのために、一定時間が必要となる。または、端末がＷＵＳをモニタリングし、ＷＵＳが検出されるか否かを判断するまでに、一定時間以上のプロセッシング時間が必要となる。従って、端末は、ＷＵＳ検出後、Ｔgap以後に存在するＰＤＣＣＨに対してモニタリングを行う。
【０１８２】
本発明の第２−１実施形態においては、Ｔgap（９０７）を決定する方法を提案する。Ｔgap（９０７）は、検出されたＷＵＳ９００の最後のシンボル（または、スロット）から、端末がモニタリングする最初のＰＤＣＣＨ オケージョンの最初のシンボル（または、スロット）までの時間差として定義される。すなわち、端末は、ＷＵＳ９００を検出した後、Ｔgap（９０７）時間以後に存在するＰＤＣＣＨ オケージョンに対してモニタリングを行う。Ｔgapの最小値（Ｔgap，ｍｉｎ≧０）は、事前定義されるか、あるいは端末が支援することができる最小Ｔgapに対する能力（capability）を基地局に報告する。Ｔgapは、常時、Ｔgap，ｍｉｎよりも大きいか、あるいはそれと同じである。Ｔgapは、下記の方法のうちの少なくとも１つの方法によって決定される。
【０１８３】
［方法１］
基地局は端末に、上位階層シグナリング（例えば、ＭＩＢ、ＳＩＢ、またはＲＲＣシグナリング）を介して、ＷＵＳの設定情報の一部として、Ｔgap値を設定する。端末は、ＷＵＳを検出した後、Ｔgap以後に存在するＰＤＣＣＨ オケージョンに対してモニタリングを行う。
【０１８４】
［方法２］
基地局は端末に、ＭＡＣ ＣＥシグナリングを介して、ＷＵＳに対するＴgap値を設定する。基地局は端末に、ＷＵＳを設定し、設定されたＷＵＳに対するモニタリングを活性化（activation、triggering）するメッセージを、ＭＡＣ ＣＥを介して伝達し、このとき、ＭＡＣ ＣＥにおいて伝達する情報に、Ｔgapが含まれる。端末は、ＷＵＳを検出した後、Ｔgap以後に存在するＰＤＣＣＨ オケージョンに対してモニタリングを行う。方法２では、ＭＡＣ ＣＥによってモニタリングが活性化されたＷＵＳについて、Ｔgapを動的に変更し、状況により、不要なＰＤＣＣＨ オケージョンに対するモニタリングを最小化させる長所がある。
【０１８５】
［方法３］
基地局は端末に、Ｌ１シグナリング（例えば、ＤＣＩ）を介して、ＷＵＳに対するＴgap値を設定する。基地局は端末に、ＷＵＳを設定し、設定されたＷＵＳに対するモニタリングを活性化（activation、triggering）するメッセージを、ＤＣＩを介して伝達し、ＤＣＩにおいて伝達される情報に、Ｔgapが含まれる。端末は、ＷＵＳを検出した後、Ｔgap以後に存在するＰＤＣＣＨ オケージョンに対してモニタリングを行う。方法３では、ＤＣＩによってモニタリングが活性化されたＷＵＳについて、Ｔgapを動的に変更し、状況により、不要なＰＤＣＣＨ オケージョンに対するモニタリングを最小化させる長所がある。
【０１８６】
［方法４］
基地局は端末に、ＷＵＳを利用して、Ｔgap値を指示する。端末は、ＷＵＳを検出した後、ＷＵＳからＴgap値を獲得し、獲得したＴgap以後に存在するＰＤＣＣＨ オケージョンに対してモニタリングを行う。方法４では、Ｔgapを動的に変更し、状況により、不要なＰＤＣＣＨ オケージョンに対するモニタリングを最小化させる長所がある。
【０１８７】
［方法５］
Ｔgapが、ＰＤＣＣＨ オケージョンにより、暗黙的（implicit）に決定される。ＷＵＳを検出した後、検出されたＷＵＳの最後シンボル（または、スロット）以後に存在するＷＵＳに関連しているＰＤＣＣＨモニタリングオケージョンのうち、最も早いオケージョンの最初のシンボル（または、スロット）間の時間をＴgap，１とした場合、Ｔgap＝ｍｉｎ（Ｔgap，min，Ｔgap，１）に決定される。方法５では、端末は、ＷＵＳを検出した後、Ｔgap，ｍｉｎが保証され、最も早いＰＤＣＣＨモニタリングオケージョンに対してモニタリングを行う。
【０１８８】
＜第２−２実施形態＞
図９を参照すると、端末は、ＷＵＳ９００を検出した時点から、特定時間Ｔgap（９０７）以後、特定時間区間Ｔduration（９０８）の間に検出されたＷＵＳ９００に関連した、ＰＤＣＣＨに対するモニタリングを行う。本発明の第２−２実施形態においては、Ｔduration（９０８）を決定する方法を提案する。Ｔdurationは、下記の方法のうちの少なくとも１つの方法によって決定される。
【０１８９】
［方法１］
基地局は端末に、上位階層シグナリング（例えば、ＭＩＢ、ＳＩＢ、またはＲＲＣシグナリング）を介して、ＷＵＳの設定情報の一部として、Ｔduration値を設定する。端末は、ＷＵＳを検出した後、Ｔgap以後、時間区間Ｔdurationの間、ＰＤＣＣＨに対してモニタリングを行う。
【０１９０】
［方法２］
基地局は端末に、ＭＡＣ ＣＥシグナリングを介して、ＷＵＳに対するＴduration値を設定する。基地局は端末に、ＷＵＳを設定し、設定されたＷＵＳに対するモニタリングを活性化（activation、triggering）するメッセージを、ＭＡＣ ＣＥを介して伝達し、このとき、ＭＡＣ ＣＥにおいて伝達する情報に、Ｔdurationが含まれる。端末は、ＷＵＳを検出した後、Ｔgap以後、時間区間Ｔdurationの間、ＰＤＣＣＨに対してモニタリングを行う。方法２では、ＭＡＣ ＣＥによってモニタリングが活性化されたＷＵＳについて、ＰＤＣＣＨに対するモニタリング区間を動的に変更する。
【０１９１】
［方法３］
基地局は端末に、Ｌ１シグナリング（例えば、ＤＣＩ）を介して、ＷＵＳに対するＴduration値を指示する。基地局は端末に、ＷＵＳを設定し、設定されたＷＵＳに対するモニタリングを活性化（activation、triggering）するメッセージを、ＤＣＩを介して伝達し、このとき、ＤＣＩにおいて伝達されるメッセージにＴdurationが含まれる。端末は、ＷＵＳを検出した後、Ｔgap以後、時間区間Ｔdurationの間、ＰＤＣＣＨに対してモニタリングを行う。方法３では、ＤＣＩによってモニタリングが活性化されたＷＵＳについて、ＰＤＣＣＨに対するモニタリング区間を動的に変更する。
【０１９２】
［方法４］
基地局は端末に、ＷＵＳを利用し、Ｔduration値を指示する。端末は、ＷＵＳを検出した後、ＷＵＳからＴduration値を獲得し、Ｔgap以後、獲得した時間区間Ｔdurationの間、ＰＤＣＣＨに対してモニタリングを行う。方法４では、ＷＵＳにより、ＰＤＣＣＨに対するモニタリング区間を動的に変更する。
【０１９３】
［方法５］
基地局は端末に、上位階層シグナリング（例えば、ＭＡＣ ＣＥシグナリング）またはＬ１シグナリング（例えば、ＤＣＩ、ＷＵＳ、またはＧＴＳシグナリング）を介してＰＤＣＣＨに対するモニタリング動作を終了させる指示子（それをＭＴＳ（ＭｏｎｉｔｏｒｉｎｇＴｅｒｍｉｎａｔｉｏｎＳｉｇｎａｌ）と称する）を追加的に送る。端末は、ＷＵＳを検出した後、Ｔgap以後からＭＴＳを検出するまでＰＤＣＣＨに対するモニタリングを行う。方法５では、ＰＤＣＣＨに対するモニタリング区間を動的に変更する。
【０１９４】
［方法６］
基地局は端末に、上位階層シグナリング（例えば、ＭＡＣ ＣＥシグナリング）またはＬ１シグナリング（例えば、ＤＣＩ、ＷＵＳ、またはＧＴＳシグナリング）を介して、ＰＤＣＣＨに対するモニタリングを行う時間インデックス（例えば、フレームインデックス、サブフレームインデックス、スロットインデックス、シンボルインデックス、ＰＤＣＣＨ オケージョンインデックス）を指示する。一例として基地局は、ビットマップ（bitmap）の形態で、ＰＤＣＣＨに対するモニタリングを行う時間インデックスを指示する。端末は、ＷＵＳを検出した後、Ｔgap以後から、基地局が指示した時間インデックスに存在するＰＤＣＣＨ オケージョンに対してモニタリングを行う。
【０１９５】
［方法７］
端末は、ＷＵＳを検出した時点から、Ｔgap以後から、ＰＤＣＣＨに対するモニタリングを行う。端末がＷＵＳを検出した後、ＰＤＣＣＨをモニタリングする区間の間、基地局は端末に、上位階層シグナリング（例えば、ＭＡＣ ＣＥ）またはＬ１シグナリング（例えば、ＤＣＩ、ＷＵＳ、またはＧＴＳシグナリング）を介して、ＷＵＳに対するモニタリングを活性化させるメッセージを伝送する。ＷＵＳに対するモニタリングを活性化させるメッセージを受信した端末は、ＰＤＣＣＨに対するモニタリングを終了し、ＷＵＳに対するモニタリングをさらに再開する。
【０１９６】
＜第２−３実施形態＞
図９を参照すると、端末は、ＷＵＳ９００を検出した時点から特定時間Ｔgap（９０７）以後、特定時間区間Ｔduration（９０８）の間に検出されたＷＵＳ９００に関連した、ＰＤＣＣＨに対するモニタリングを行う。ＷＵＳ９００は、設定されている探索空間セットの全体または一部に関連している。図９に図示された例において、ＷＵＳ９００が設定された探索空間セット全体（９０３、９０４、９０５）に関連している場合、端末は、ＷＵＳ９００を検出した後、Ｔgap（９０７）以後、設定されている全ての探索空間セットについて、ＰＤＣＣＨに対するモニタリングを行う。または、ＷＵＳ９００が設定された探索空間セットのうちの一部、例えば、探索空間セット＃１（９０３）に関連している場合、端末は、ＷＵＳ９００を検出した後、Ｔgap（９０７）以後、設定されている全ての探索空間セットのうち、探索空間セット＃１（９０３）に対するＰＤＣＣＨモニタリングを行う。本発明の第２−３実施形態においては、ＷＵＳと探索空間セットとの関連方法を提案する。ＷＵＳとＰＤＣＣＨモニタリングオケージョンとの関連関係は、下記の方法のうちの少なくとも１つの方法によって決定される。
【０１９７】
［方法１］
ＷＵＳは、設定されている全体探索空間セットに関連する。端末は、ＷＵＳを検出した後、ＷＵＳを検出した時点から特定時間（Ｔgap）以後、特定時間区間（Ｔduration）の間に存在する全てのＰＤＣＣＨ オケージョン（すなわち、全ての探索空間）に対してモニタリングを行う。
【０１９８】
［方法２］
ＷＵＳは、設定されている全体探索空間セットのうち、探索空間タイプがＵＳＳに設定されている探索空間セットに関連する。端末は、ＷＵＳを検出した後、ＷＵＳを検出した時点から特定時間（Ｔgap）以後、特定時間区間（Ｔduration）の間に存在する探索空間タイプがＵＳＳに設定されている探索空間セットに該当するＰＤＣＣＨ オケージョンに対してモニタリングを行う。
【０１９９】
［方法３］
ＷＵＳは、設定されている全体探索空間セットのうち、探索空間タイプがタイプ３ ＣＳＳまたはＵＳＳに設定されている探索空間セットと関連しうる。タイプ３ ＣＳＳは、ＤＣＩのＣＲＣが、ＩＮＴ−ＲＮＴＩ、ＳＦＩ−ＲＮＴＩ、ＴＰＣ−ＰＵＳＣＨ−ＲＮＴＩ、ＴＰＣ−ＰＵＣＣＨ−ＲＮＴＩ、ＴＰＣ−ＳＲＳ−ＲＮＴＩ、Ｃ−ＲＮＴＩ、ＣＳ−ＲＮＴＩ、ＭＣＳ−Ｃ−ＲＮＴＩでスクランブリングされたＤＣＩフォーマットがモニタリングされるＣＳＳと定義される。端末は、ＷＵＳを検出した後、ＷＵＳを検出した時点から特定時間（Ｔgap）以後、特定時間区間（Ｔduration）の間に存在する探索空間タイプが、タイプ３ ＣＳＳまたはＵＳＳに設定されている探索空間セットに該当するＰＤＣＣＨ オケージョンに対してモニタリングを行う。
【０２００】
［方法４］
基地局は端末に、上位階層シグナリング（例えば、ＭＩＢ、ＳＩＢ、またはＲＲＣシグナリング）を介して、ＷＵＳの設定情報の一部として、当該ＷＵＳに関連する１つまたは複数個の探索空間セットインデックスを通知する。端末は基地局から、ＷＵＳに関連する探索空間セットインデックス情報を設定される。端末は、ＷＵＳを検出した後、ＷＵＳを検出した時点から特定時間（Ｔgap）以後、特定時間区間（Ｔduration）の間に存在する検出されたＷＵＳと関連している探索空間セットに該当するＰＤＣＣＨ オケージョンに対してモニタリングを行う。
【０２０１】
［方法５］
基地局は端末に、ＭＡＣ ＣＥシグナリングを介して、ＷＵＳに関連する１つまたは複数個の探索空間セットインデックスを通知する。基地局は端末に、ＷＵＳを設定し、設定されたＷＵＳに対するモニタリングを活性化（activation、triggering）するメッセージを、ＭＡＣ ＣＥを介して伝達し、このとき、ＭＡＣ ＣＥにおいて伝達する情報に、ＷＵＳに関連する１つまたは複数個の探索空間セットインデックスが含まれる。端末は、ＷＵＳを検出した後、ＷＵＳを検出した時点から特定時間（Ｔgap）以後、特定時間区間（Ｔduration）の間に存在する検出されたＷＵＳに関連している探索空間セットに該当するＰＤＣＣＨ オケージョンに対してモニタリングを行う。
【０２０２】
［方法６］
基地局は端末に、ＤＣＩシグナリングを介して、ＷＵＳに関連する１つまたは複数個の探索空間セットインデックスを指示する。基地局は端末に、ＷＵＳを設定し、設定されたＷＵＳに対するモニタリングを活性化（activation、triggering）するメッセージをＤＣＩにおいて指示し、このとき、ＤＣＩにおいて伝達される情報に、ＷＵＳに関連する１つまたは複数個の探索空間セットインデックスが含まれる。端末は、ＷＵＳを検出した後、ＷＵＳを検出した時点から特定時間（Ｔgap）以後、特定時間区間（Ｔduration）の間に存在する検出されたＷＵＳに関連している探索空間セットに該当するＰＤＣＣＨ オケージョンに対してモニタリングを行う。
【０２０３】
［方法７］
基地局は端末に、ＷＵＳを利用し、当該ＷＵＳに関連する１つまたは複数個の探索空間セットインデックスを指示する。端末は、ＷＵＳを検出した後、検出されたＷＵＳと関連している探索空間セットに係わる情報を獲得する。ＷＵＳを検出した時点から特定時間（Ｔgap）以後、特定時間区間（Ｔduration）の間に存在する検出されたＷＵＳに関連している探索空間セットに該当するＰＤＣＣＨ オケージョンに対してモニタリングを行う。
【０２０４】
＜第２−４実施形態＞
図９を参照すると、端末は、ＷＵＳ９００を検出した時点から特定時間Ｔgap（９０７）以後、特定時間区間Ｔduration（９０８）の間に検出されたＷＵＳ９００に関連した、ＰＤＣＣＨに対するモニタリングを行う。本発明の第２−４実施形態においては、ＷＵＳをモニタリングする間、ＷＵＳに関連していないＰＤＣＣＨに対してモニタリングを行う方法を提案する。例えば、下記の方法のうちの少なくとも１つの方法による。
【０２０５】
［方法１］
端末は、ＷＵＳをモニタリングする区間の間、当該ＷＵＳに関連していないＰＤＣＣＨ オケージョンについてモニタリングを行う。すなわち、端末は、ＷＵＳが検出されるか否かに拘わらず、当該ＷＵＳに関連していないＰＤＣＣＨ オケージョンについては、モニタリングを持続させる。すなわち、ＷＵＳは、単に、当該ＷＵＳに関連しているＰＤＣＣＨ オケージョンについてのみ、モニタリング動作を制御し、関連していないＰＤＣＣＨ オケージョンについては、影響を与えない。
【０２０６】
図９を参照して具体的に説明すると、ＷＵＳ９００が、探索空間セット＃１（９０３）に関連しており、探索空間セット＃２（９０４）と探索空間セット＃３（９０５）に関連していない場合、端末は、ＷＵＳ９００をモニタリングしながら、ＷＵＳ９００が検出されたか否かに拘わらず、探索空間セット＃２（９０４）と探索空間セット＃３（９０５）とを持続的にモニタリングする。方法１において、ＷＵＳが検出されるか否かに拘わらず、端末が持続的にモニタリングを行う必要がある探索空間セット（例えば、ＣＳＳまたはタイプ３ ＣＳＳに設定されている探索空間セット、またはＵＲＬＬＣトラフィックのように、非常に低い遅延時間を要求する優先順位が高い探索空間がそれらに該当する）については、モニタリングを持続させる。
【０２０７】
［方法２］
端末は、ＷＵＳをモニタリングする区間の間、当該ＷＵＳに関連していないＰＤＣＣＨ オケージョンについても、モニタリングを行わない。すなわち、端末のＰＤＣＣＨに対するモニタリング動作は、ＷＵＳが検出されるか否かによって制御される。全体探索空間セットのうちの一部だけがＷＵＳに関連している場合、端末がＷＵＳをモニタリングする間には、単に、ＷＵＳに関連している探索空間セットについてのみ、ＰＤＣＣＨモニタリングを行うか否かが決定される。基地局が端末に、ＷＵＳに関連していない探索空間セットに対するＰＤＣＣＨモニタリングを行わせるためには、ＷＵＳに対するモニタリングを終了するメッセージを伝送する。すなわち、ＷＵＳに関連していない探索空間セットに該当するＰＤＣＣＨ オケージョンに対するモニタリングは、ＷＵＳをモニタリングしない時間区間に遂行される。
【０２０８】
図９を参照して具体的に説明すると、ＷＵＳ９００が、探索空間セット＃１（９０３）に関連しており、探索空間セット＃２（９０４）及び探索空間セット＃３（９０５）には関連していなければ、端末は、ＷＵＳ９００をモニタリングする時間区間の間、探索空間セット＃２（９０４）及び探索空間セット＃３（９０５）に対するモニタリングを行わない。方法１では、端末の不要なＰＤＣＣＨモニタリングを最小化させ、電力消費低減効果を最大化させる。
【０２０９】
＜第２−５実施形態＞
図９を参照すると、端末は、ＷＵＳ９００を検出した時点から特定時間Ｔgap（９０７）以後、特定時間区間Ｔduration（９０８）の間に検出されたＷＵＳ９００に関連した、ＰＤＣＣＨに対するモニタリングを行う。本発明の第２−５実施形態においては、ＷＵＳを検出した後、ＰＤＣＣＨをモニタリングする時間区間Ｔduration（９０８）の間、ＷＵＳに対するモニタリング方法を提案する。例えば、下記の方法のうちの少なくとも１つの方法による。
【０２１０】
［方法１］
端末は、Ｔdurationの間、ＷＵＳに対するモニタリングを行わない。方法１では、端末が、不要なＷＵＳに対するモニタリングを行わないことにより、電力消費低減効果を最大化させる。
【０２１１】
［方法２］
端末は、Ｔdurationの間、ＷＵＳに対するモニタリングを持続的に行う。端末が、時間区間Ｔduration内において、ＷＵＳに対するモニタリングを行ってＷＵＳを検出した場合、端末は、下記の動作のうちの少なくとも１つの動作を遂行する。
【０２１２】
（動作１）
端末は、Ｔdurationの間、ＷＵＳに対するモニタリングを行い、ＷＵＳが検出された場合、特定時間（Ｔgap，２）以後から、ＰＤＣＣＨに対するモニタリング動作を終了する。すなわち、時間区間Ｔdurationの間に、ＷＵＳがさらに検出されると、端末は、当該ＷＵＳをＭＴＳと判断し、ＰＤＣＣＨに対するモニタリング動作を中断する。このとき、時間区間Ｔdurationの間に、モニタリングされたＷＵＳ信号は、Ｔduration時間外でモニタリングされたＷＵＳ信号と同一信号であるか、あるいは他の信号に該当する。
【０２１３】
（動作２）
端末は、Ｔdurationの間、ＷＵＳに対するモニタリングを行い、ＷＵＳが検出された場合、端末は、新たに検出されたＷＵＳに含まれている設定情報に基づいて、ＰＤＣＣＨに対するモニタリング動作を制御する。より具体的に説明すると、端末は、最初のＷＵＳを検出し、Ｔgap以後、時間区間Ｔdurationの間、ＰＤＣＣＨに対するモニタリング及びＷＵＳに対するモニタリングを行う。端末は、時間区間Ｔdurationの間に、２番目のＷＵＳを検出した場合、端末が最初に検出されたＷＵＳにおいて指示された設定情報１（例えば、上述の実施形態２−１、２−２、２−３におけるＷＵＳにおいて指示された設定情報であり、Ｔgap、Ｔduration、関連する探索空間セットのインデックスなどが該当する）を、２番目に検出されたＷＵＳにおいて指示された設定情報２（例えば、Ｔgap，２、Ｔduration，２、関連する探索空間セットのインデックス２など）に変更して、新らたに適用する。
【０２１４】
一例として、端末が最初に検出したＷＵＳにおいて、Ｔduration＝１０（スロット）と指示され、２番目に検出されたＷＵＳにおいて、Ｔduration＝２０（スロット）と指示された場合、端末は、最初のＷＵＳを検出した時点、または２番目のＷＵＳを検出した時点から、Ｔduration＝２０（スロット）に該当する時間区間の間、追加してＰＤＣＣＨに対するモニタリングを行う。基地局が、Ｔdurationの間に、当該端末のトラフィックが持続的に増大するであろうと判断した場合、基地局は、Ｔdurationを増大させる指示子を、時間区間Ｔdurationにおいて伝送されるＷＵＳを介して、追加して伝送することにより、端末に、ＰＤＣＣＨに対するモニタリングを持続させる。
【０２１５】
一例として、端末が最初に検出したＷＵＳにおいて、Ｔduration＝２０（スロット）と指示され、２番目に検出したＷＵＳにおいて、Ｔduration＝１０（スロット）と指示された場合、端末は、最初のＷＵＳを検出した時点、または２番目のＷＵＳを検出した時点から、Ｔduration＝１０（スロット）に該当する時間区間の間、ＰＤＣＣＨに対するモニタリングを行う。基地局が、Ｔdurationの間に、当該端末のトラフィックが持続的に低減するであろうと判断した場合、基地局は、Ｔdurationを低減させる指示子を、時間区間Ｔdurationにおいて伝送されるＷＵＳを介して、追加して伝送することにより、端末に、ＰＤＣＣＨに対するモニタリングをより早く中断させる。
【０２１６】
方法２では、端末のＰＤＣＣＨに対するモニタリング動作をより動的に（dynamic）制御する長所がある。
【０２１７】
［方法３］
基地局は端末に、上位階層シグナリング（例えば、ＭＡＣ ＣＥシグナリング）またはＬ１シグナリング（例えば、ＤＣＩまたはＷＵＳシグナリング）を介して、Ｔduration内において、ＷＵＳに対するモニタリングを行うか、あるいは行わないかを設定または指示する。端末は基地局から、上位階層シグナリング（例えば、ＭＡＣ ＣＥシグナリング）またはＬ１シグナリング（例えばＤＣＩまたはＷＵＳシグナリング）を介して、Ｔduration内において、ＷＵＳに対するモニタリングを行うか、あるいは行わないかを設定されたり指示され、基地局の通知により、ＷＵＳに対するモニタリングを実行するか否かを決定する。
【０２１８】
［方法４］
端末は、Ｔduration内において、ＷＵＳに対するモニタリングを行うか、あるいは行わないかを、ＷＵＳに係わる設定情報（例えば、ＷＵＳモニタリング周期、Ｔdurationなど）に基づいて、暗黙的に決定する。
【０２１９】
一例として、ＷＵＳモニタリング周期が、事前定義または事前設定された特定臨界値よりも大きい場合、端末は、Ｔduration内において、ＷＵＳに対するモニタリングを行わない。他の例として、ＷＵＳモニタリング周期が、事前定義または事前設定された特定臨界値よりも小さい場合、端末は、Ｔduration内において、ＷＵＳに対するモニタリングを行わない。さらに他の例として、時間区間Ｔdurationが、事前定義または事前設定された特定臨界値よりも小さい場合、端末は、Ｔduration内において、ＷＵＳに対するモニタリングを行わない。さらに別の例として、時間区間Ｔdurationが、事前定義または事前設定された特定臨界値よりも大きい場合、端末は、Ｔduration内において、ＷＵＳに対するモニタリングを行わない。
【０２２０】
上述の実施形態では、低電力モード指示子のうち、ＷＵＳを例に挙げて説明したが、それに限定されるものではなく、ＧＴＳを利用する場合にも、同一方式が適用される。すなわち、基地局は、ＷＵＳを利用して、端末がＷＵＳを検出した以後の時点から、ＰＤＣＣＨに対するモニタリングを行うように制御し、ＧＴＳを利用して、端末がＧＴＳを検出した以後の時点から、ＰＤＣＣＨに対するモニタリングを、特定時間の間行わないように制御する。従って、ＧＴＳを利用する場合には、上述のＷＵＳを利用する実施形態の逆に動作する。
【０２２１】
本発明の実施形態を実施するための、端末と基地局との送受信部（transceiver）、メモリ、プロセッサが、それぞれ図１１及び図１２に示されている。上述の５Ｇ通信システムにおいて、ＰＤＣＣＨをモニタリングする方法を適用するために、基地局と端末との間で情報を送受信し、５Ｇ通信システムにおいて、ＰＤＣＣＨをモニタリングする方法を遂行するために、基地局と端末との送受信部、メモリ、プロセッサが、それぞれ実施形態よって動作する。
【０２２２】
具体的には、図１１は、本発明の一実施形態による、端末（ＵＥまたはterminal）の内部構造を示すブロック図である。図１１に示すように、端末は、プロセッサ１１０１、送受信部１１０２、及びメモリ１１０３を含む。ただし、端末の構成要素は、上述の例に限定されない。例えば、端末は、上述の構成要素よりもさらに多くの構成要素を含むか、あるいはより少ない構成要素を含む。それだけでなく、プロセッサ１１０１、送受信部１１０２、及びメモリ１１０３が、１つのチップ形態で具現されうる。
【０２２３】
一実施形態によれば、プロセッサ１１０１は、上述の本発明の実施形態によって、端末が動作するように、一連の過程を制御する。例えば、本発明の実施形態による端末のＷＵＳに対するモニタリング動作、及びＰＤＣＣＨに対するモニタリング動作などを遂行するように、端末の構成要素を制御する。プロセッサ１１０１は、複数個でもよく、プロセッサ１１０１は、メモリ１１０３に保存されたプログラムを実行することにより、上述の本発明のＷＵＳに対するモニタリング動作、及びＰＤＣＣＨに対するモニタリング動作を遂行する。
【０２２４】
送受信部１１０２は、基地局と信号を送受信する。基地局と送受信する信号は、制御情報とデータとを含む。送受信部１１０２は、送信される信号の周波数を、上昇変換して増幅するＲＦ送信器と、受信された信号を低ノイズ増幅して周波数を下降変換するＲＦ受信器とによって構成される。ただし、それは、送受信部１１０２の一実施形態であって、送受信部１１０２の構成要素は、ＲＦ送信器及びＲＦ受信器に限定されるものではない。また、送受信部１１０２は、無線チャネルを介して信号を受信して、プロセッサ１１０１に出力し、プロセッサ１１０１から出力された信号を、無線チャネルを介して伝送する。
【０２２５】
一実施形態によれば、メモリ１１０３は、端末の動作に必要なプログラム及びデータを保存する。また、メモリ１１０３は、端末が送受信する信号に含まれた制御情報またはデータを保存する。メモリ１１０３は、ＲＯＭ（read only memory）、ＲＡＭ（random access memory）、ハードディスク、ＣＤ−ＲＯＭ（compact disc read only memory）及びＤＶＤ（digital versatile disc）のような記録媒体、または記録媒体の組み合わせによって構成される。また、メモリ１１０３は、複数個であり、一実施形態によると、メモリ１１０３は、上述の本発明の実施形態であるＷＵＳに対するモニタリング動作、及びＰＤＣＣＨに対するモニタリング動作を遂行するためのプログラムを保存する。
【０２２６】
図１２は、本発明の一実施形態による、基地局の内部構造を示すブロック図である。図１２に示すように、基地局は、プロセッサ１２０１、送受信部１２０２、及びメモリ１２０３を含む。ただし、基地局の構成要素は、上述の例に限定されない。例えば、基地局は、上述の構成要素よりもさらに多くの構成要素を含むか、あるいはより少ない構成要素を含む。それだけでなく、プロセッサ１２０１、送受信部１２０２、及びメモリ１２０３が、１つのチップ形態で具現されうる。
【０２２７】
プロセッサ１２０１は、上述の本発明の実施形態によって、基地局が動作するように、一連の過程を制御する。例えば、本発明の実施形態によるＷＵＳの設定方法、ＷＵＳ伝送方法、ＰＤＣＣＨ伝送方法などを遂行するように、基地局の構成要素を制御する。
【０２２８】
送受信部１２０２は、端末と信号を送受信する。端末と送受信する信号は、制御情報とデータとを含む。送受信部１２０２は、送信される信号の周波数を上昇変換して増幅するＲＦ送信器と、受信された信号を低ノイズ増幅して周波数を下降変換するＲＦ受信器とによって構成される。ただし、それは、送受信部１２０２の一実施形態であって、送受信部１２０２の構成要素は、ＲＦ送信器及びＲＦ受信器に限定されるものではない。また、送受信部１２０２は、無線チャネルを介して信号を受信して、プロセッサ１２０１に出力し、プロセッサ１２０１から出力された信号を、無線チャネルを介して伝送する。プロセッサ１２０１は、複数個でもよく、プロセッサ１２０１は、メモリ１２０３に保存されたプログラムを実行することにより、上述の本発明のＷＵＳの設定方法、ＷＵＳ伝送方法、ＰＤＣＣＨ伝送方法などを遂行する。
【０２２９】
一実施形態によれば、メモリ１２０３は、基地局の動作に必要なプログラム及びデータを保存する。また、メモリ１２０３は、基地局が送受信する信号に含まれた制御情報またはデータを保存する。メモリ１２０３は、ＲＯＭ、ＲＡＭ、ハードディスク、ＣＤ−ＲＯＭ及びＤＶＤのような記録媒体、または記録媒体の組み合わせによって構成される。また、メモリ１２０３は、複数個でありうる。一実施形態によると、メモリ１２０３は、上述の本発明の実施形態であるＷＵＳの設定方法、ＷＵＳ伝送方法、ＰＤＣＣＨ伝送方法などを遂行するためのプログラムを保存する。
【０２３０】
本発明の請求項または明細書に記載された実施形態による方法は、ハードウェア、ソフトウェア、またはハードウェアとソフトウェアとの組み合わせの形態で具現される（implemented）。
【０２３１】
ソフトウェアによって具現される場合、１つ以上のプログラム（ソフトウェアモジュール）を保存するコンピュータ読み取り可能な記録媒体が提供されうる。コンピュータ読み取り可能な記録媒体に保存される１つ以上のプログラムは、電子装置内の１つ以上のプロセッサによって実行可能であるように構成される（configured for execution）。１つ以上のプログラムは、電子装置をして、本発明の請求項または明細書に記載された実施形態による方法を実行させる命令語（instruction）を含む。
【０２３２】
そのようなプログラム（ソフトウェアモジュール、ソフトウェア）は、ＲＡＭ、フラッシュメモリを含む不揮発性（non-volatile）メモリ、ＲＯＭ、電気的消去可能なプログラマブルＲＯＭ（ＥＥＰＲＯＭ：electrically erasable programmable read only memory）、磁気ディスク保存装置、ＣＤ−ＲＯＭ、ＤＶＤ、または他の形態の光学保存装置、及び／またはマグネチックカセットに保存される。または、それらの一部または全部の組み合わせによって構成されたメモリに保存される。また、それぞれの構成メモリは、複数個含まれてもよい。
【０２３３】
また、プログラムは、インターネット、イントラネット、ＬＡＮ（local area network）、ＷＬＡＮ（wide ＬＡＮ）またはＳＡＮ（storage area network）のような通信ネットワーク、またはそれらの組み合わせによって構成された通信ネットワークを介してアクセスされる付着可能な（attachable）記憶装置に保存される。そのような記憶装置は、外部ポートを介して、本発明の実施形態を遂行する装置に接続される。また、通信ネットワーク上の別途の記憶装置が、本発明の実施形態を遂行する装置に接続される。
【０２３４】
上述の本発明の具体的な実施形態において、本発明に含まれる構成要素は、提示された具体的な実施形態により、単数または複数に表現される。しかし、単数または複数の表現は、説明の便宜のために提示された状況に応じて選択されたものであり、本発明は、単数または複数の構成要素に限定されるものではなく、複数で表現された構成要素であっても、単数で構成され、あるいは単数で表現された構成要素であっても、複数で構成される。
【０２３５】
本発明の実施形態は、移動通信システムにおいて、サービスを効率的に提供するための装置及びその方法を提供する。
【０２３６】
本発明のさまざまな実施形態を説明したが、当業者は、本発明の技術範囲を逸脱せずに、多様な修正がなされることを理解して認識するであろう。従って、本明細書の内容は、単に例示的な目的のために提供されたものであり、本明細書の実施形態に限定されないことは、当業者に明白である。また、上述のそれぞれの実施形態は、必要に応じて、互いに組み合わされて運用されうる。例えば、本発明の一実施形態とは異なる実施形態の一部分が互いに組み合わされて、基地局と端末とが運用されうる。また、本発明の実施形態は、他の通信システムにおいても適用可能であり、本実施形態の技術的思想に基づく他の変形例も実施可能である。
【０２３７】
本発明は、多様な実施形態によって説明されたが、当業者には、多様な変更及び修正が提案されうる。本発明は、特許請求の範囲の範疇にあるそのような変更及び修正を含むものである。
【符号の説明】
【０２３８】
１０１    資源要素
１０２    ＯＦＤＭシンボル
１０３    副搬送波
２００    フレーム
２０１    サブフレーム
２０２、２０３    スロット
３００    端末帯域幅
３０１    帯域幅部分＃１
３０２    帯域幅部分＃２
４０１    制御リソースセット＃１
４０２    制御リソースセット＃２
４０３    特定周波数資源
４０４    制御リソースセット長
４１０    端末の帯域幅部分
５０１    ＯＦＤＭシンボル
５０２    ＰＲＢ
５０３    ＲＥＧ
５０４    ＣＣＥ
５０５    ＤＭＲＳ
６００、９００    ＷＵＳ
６０１    時間資源
６０２    周波数資源
６０３    伝送周期
７００    制御リソースセット
７０１    ＤＣＩ
７０２    探索空間
８００、８１０    基地局
８０１、８１１    端末
９０３    探索空間セット＃１
９０４    探索空間セット＃２
９０５    探索空間セット＃３
９０７    特定時間（Ｔgap）
９０８    特定時間区間（Ｔduration）
１１０１、１２０１    プロセッサ
１１０２、１２０２    送受信部
１１０３、１２０３    メモリ
【図１】
2022500913.tif 000019
【図２】
2022500913.tif 000020
【図３】
2022500913.tif 000021
【図４】
2022500913.tif 000022
【図５】
2022500913.tif 000023
【図６】
2022500913.tif 000024
【図７】
2022500913.tif 000025
【図８Ａ】
2022500913.tif 000026
【図８Ｂ】
2022500913.tif 000027
【図８Ｃ】
2022500913.tif 000028
【図８Ｄ】
2022500913.tif 000029
【図９】
2022500913.tif 000030
【図１０】
2022500913.tif 000031
【図１１】
2022500913.tif 000032
【図１２】
2022500913.tif 000033
【国際調査報告】
2022500913.tif 000034
2022500913.tif 000035
2022500913.tif 000036